(57)【要約】【課題】走行中に、ユニット情報を活かしたメッセージ交換を容易に行うこと。【解決手段】電子機器２であって、表示部１１と、送受信される送信者に関するユーザー情報と送信者が交信相手に伝えたいメッセージ情報とを含む情報を受信する無線通信部２０であって、前記ユーザー情報は、前記送信者を識別するための識別情報と前記送信者の所属先を識別するためのユニット情報とを含む、無線通信部２０と、表示部１１にユニット情報に関連付けた第１表示位置を設けて、少なくとも識別情報又はユニット情報のいずれかを第１表示位置に配置して表示する表示モード制御部４３と、を備える。【選択図】図１
2016024557.tif 000002
【特許請求の範囲】
【請求項１】
表示部と無線通信部とを備える電子機器が前記表示部に、前記無線通信部を介して送受信される送信者に関するユーザー情報と前記送信者が交信相手に伝えたいメッセージ情報とを含む情報を表示する方法であって、
前記ユーザー情報は、前記送信者の識別情報と、前記送信者の属性情報と、を含み、
前記電子機器が、
前記表示部に前記属性情報に関連付けた第１表示位置を設けて、前記識別情報又は属性情報の少なくともいずれかを前記第１表示位置に配置して表示する表示モード制御ステップを含む方法。
【請求項２】
前記表示モード制御ステップは、さらに
前記表示部に、複数の属性情報のそれぞれに関連付けた複数の第１表示位置を設定するステップと、
複数の送信者から送受信される、各送信者の少なくとも前記識別情報又は属性情報の少なくともいずれかを、前記複数の第１表示位置のいずれかに配置して、同時に表示するステップと、を含む請求項１に記載の方法。
【請求項３】
前記表示モード制御ステップは、
自機ユーザーの識別情報又は前記自機ユーザーの属性情報の少なくともいずれかをアイコンとして、前記自機ユーザーの属性情報に関連付けた第１表示位置を設けて配置して表示するステップと、
前記自機ユーザーの属性情報に関連付けた第１表示位置を基準として、他の第１表示位置を設定して、自機ユーザー以外の送信者の識別情報又は送信者の属性情報の少なくともいずれかをアイコンとして、前記他の第1表示位置に配置して表示するステップと、を含む請求項１又は請求項２に記載の方法。
【請求項４】
前記表示モード制御ステップは、
前記アイコンを表示するための表示領域を、自機ユーザーを含む自機と接続される電子機器数に基づいて複数の分割表示領域に割り振るステップと、
自機ユーザーの識別情報と前記自機ユーザーの属性情報の少なくともいずれかをアイコンとして、前記割り振られた複数の分割表示領域の一つの分割表示領域に前記自機ユーザーの属性情報に関連付けた第１表示位置を設けて配置して表示するステップと、
前記自機ユーザーの属性に関連付けた第１表示位置を基準として、自機ユーザー以外の各送信者の識別情報又は送信者の所属先の属性情報の少なくともいずれかをアイコンとして、前記自機ユーザーの属性情報に関連付けた第１表示位置が設定された以外の各分割表示領域に前記各送信者の属性情報に関連付けた第1表示位置をそれぞれ設けて配置して表示するステップと、を含む請求項３に記載の方法。
【請求項５】
前記表示モード制御ステップは、
前記アイコンを表示するための表示領域を、予め設定した任意の数で分割し、複数の分割表示領域を設定するステップと、
前記複数の分割表示領域の各分割表示領域に、前記送信者の属性情報に関連付けた第１表示位置を設けて、少なくとも前記送信者の識別情報又は送信者の属性情報の少なくともいずれかを前記第１表示位置に配置して表示するステップと、を含むことを特徴とする請求項１乃至請求項３に記載の方法。
【請求項６】
表示部と無線通信部とを備える電子機器が前記表示部に、前記無線通信部を介して送受信される送信者に関するユーザー情報と前記送信者が交信相手に伝えたいメッセージ情報とを含む情報を表示する方法であって、
前記ユーザー情報は、前記送信者の識別情報と前記送信者の属性情報とを含み、
前記電子機器が、
前記表示部に前記前記送信者の属性情報を表示し、少なくとも前記情報を送受信する場合、前記送信者の識別情報を前記属性情報に関連付けて表示する表示モード制御ステップを含む方法。
【請求項７】
前記無線通信部は直接無線通信を行うものであることを特徴とする請求項１乃至請求項６に記載の方法。
【請求項８】
表示部と無線通信部とを備える電子機器のコンピュータに請求項１乃至請求項７のいずれか１項に記載の方法の各ステップを実行させるためのコンピュータプログラム。
【請求項９】
表示部と、
送受信される送信者に関するユーザー情報と前記送信者が交信相手に伝えたいメッセージ情報とを含む情報を受信する無線通信部であって、前記ユーザー情報は、前記送信者の識別情報と前記送信者の属性情報とを含む、前記無線通信部と、
前記表示部に前記属性情報に関連付けた第１表示位置を設けて、前記識別情報又は属性情報の少なくともいずれかを前記第１表示位置に配置して表示する表示モード制御部と、を備える電子機器。
【発明の詳細な説明】
【技術分野】
【０００１】
本発明は、道路上を移動する車両、オートバイ、自転車あるいは舟艇等の移動手段で移動する人、及び／又は歩行者(人)の携行する電子機器（以下、「移動機器」ともいう）間における、意思疎通（メッセージの交換）を行うプログラム、方法、及び電子機器に関するものである。以下、車両、オートバイ、自転車、歩行者、あるいは舟艇等を「車両等」ともいう。
例えば、移動機器としては、車両等の移動手段の搭乗者の有するスマートフォン等の携帯型端末装置、タブレット端末、ＰＤＡ（Ｐｅｒｓｏｎａｌ  Ｄｉｇｉｔａｌ  Ａｓｓｉｓｔａｎｔｓ）、ノートパソコン、携帯電話、及びその他無線通信機能を備える携帯可能な電子機器もしくは、ＰＮＤ（Ｐｏｒｔａｂｌｅ／Ｐｅｒｓａｏｎａｌ  Ｎａｖｉｇａｔｉｏｎ  Ｄｅｖｉｃｅ）及び車載ナビゲーション装置等を含むナビゲーション装置が挙げられる。
特に、車両等に搭乗している人（ユーザー）が電子機器により、他の移動機器との間で無線通信を介して、簡易な操作で文字データによる短文交換型会話（いわゆるチャット）等の意思疎通（メッセージのやり取り）を行うことができるメッセージの交換を行うためのプログラム、方法、及び電子機器に関する。
【背景技術】
【０００２】
複数の人が複数の車両等の移動手段に分散して、異なる車両に搭乗している人との間で無線通信を介した会話を楽しみたいとの要望がある。
例えば、グループでツーリングする時に、前もって景観のよいポイントの情報を移動機器に設定しておき、外の景色を見ながら、その地点に来ると、グループ間で即時に意思疎通を図りたい（メッセージを送りたい）という要望がある。また、例えば、予め決めておいた休憩場所に近づいた時点でグループ間で意思疎通を図りたい（メッセージを送りたい）という要望がある。
このように、文字データ等による短文交換型会話（以下、「チャット」ともいう）は、読み書き及び送受信の行為自体が楽しみの対象でもあり、送受信され表示される件数と、1件の送受信データに含まれる情報の種類と、それらの見易さが楽しさを増加させる。
このため、発話する人及び発話しない人に関わらず、チャットの参加者全てが、話の輪の中に存在する雰囲気を作って、みんなで会話を楽しんでいるという雰囲気を醸し出すことができるチャットが望まれる。
また、グループで一定の行動を共にするような場合、例えば車やオートバイでのツーリング等での連帯感、グループ感、共同体としての一体感が楽しめる雰囲気を提供することができるチャットが望まれる。
【０００３】
特許文献１には、位置情報設置モードに設定した携帯電話機同士を介した、ユーザー（移動中の人）間のチャットに関する発明が開示されている。特許文献１に記載の発明は、事前にメールアドレスを連絡しあっていなくても連絡をとることができる。そして、この特許文献１に記載の発明は、位置表示画面内の下位部にチャット表示画面を設けている。位置表示画面内の表示部１０７には、ユーザー０及びユーザー１〜３をそれぞれの位置（アイコン５００及び５０１〜５０３）に表示している。
【０００４】
特許文献２には、電子メールを利用してチャット機能を実現する携帯電話機等の携帯通信端末に関する発明が開示されている。特許文献２に記載の発明は、予めチャットに参加するメンバーをメンバー画像に対応付けて登録しておく。そうすることで、チャットメールの本文がチャットメッセージとしてメンバー画像ｍｐ１〜ｍｐ４とともに、時系列順のチャット画面Ｄ１内に表示される。チャット画面Ｄ１は携帯電話機１に搭載される液晶表示装置における表示画面である。
【０００５】
特許文献３には、仮想空間において、ユーザーの分身である仮想生命オブジェクト（アバタ）とチャットテキストの対応付けをした情報処理装置に関する発明が記載されている。特許文献３に記載の発明は、仮想空間としてのワールド画面１４０の画面内に、セリフデータ表示領域１５１を設け、そこにアバタに対応する位置に吹き出しを表示し、その中に、チャットのテキストを表示させる。
【先行技術文献】
【特許文献】
【０００６】
【特許文献１】特開２００７−１６６１８９号公報
【特許文献１】特開２００５−１８４２３号公報
【特許文献１】特開２０００−９９２２５号公報
【発明の概要】
【発明が解決しようとする課題】
【０００７】
特許文献１に記載の発明は、送信者もメッセージも、共に文字で表示されるため、当該メッセージの発信者が誰であるか、またその内容がどのようなものであるか、を把握するためには、全ての文字を読む必要がある。しかしながら、特許文献１に記載の発明においては、メッセージが時系列に表示されるため、仮に一人のユーザーが何度も続けてメッセージを発信するとそれ以外のユーザーについては、メッセージはおろかそのユーザーの名前すら表示されなくなり、発話しない人の存在が薄れてしまう。また、表示される情報は、行として時系列に整列しているだけなので、機械的で変化にも乏しい。
さらに、特許文献１に記載の発明では、表示される情報が個人単位であり、チャットに参加している個々人を関係付ける情報が無く、例えば誰と誰とが同じ車両に搭乗しているか、誰と誰とが家族なのか、また誰と誰とが同じ目的地に行くグループであるのか、といったユニット情報が不明であり、グループユニットとしての連帯感、一体感を提供するものではない。
【０００８】
特許文献２に記載の発明は、予め撮影していた発呼者の画像を表示するため、メッセージ発信者が誰であるか、容易に判断することができる。しかしながら、特許文献２に記載の発明においても、メッセージは時系列に表示されるため、仮に一人のメンバーが何度も続けてメッセージを発信するとそれ以外のメンバーについては、メッセージはおろかそのメンバーのメンバー画像すら表示されなくなり、発話しないメンバーの存在が薄れてしまう。
さらに、特許文献２に記載の発明においても、送受信されるメッセージが文字列の行をなしているだけであり、機械的かつ没個性的で変化に乏しく、文字メッセージ以外に会話を楽しむことができなかった。
さらに、特許文献２の場合は特許文献１と同様、表示される情報が個人単位であり、チャットに参加している個々人を関係付けるユニット情報が無く、グループユニットとしての楽しみ、連帯感、一体感を提供するものではない。
【０００９】
特許文献３に記載された発明は、ゲーム機であって、ゲーム自体がユーザーの参加で成り立つものである。したがって、ゲームのルールに沿ってアバタが動くものであって、例えば、グループとしての連帯感、一体感を提供するものではない。さらに、特許文献３の場合も、特許文献１と同様、表示される情報が個人単位であり、チャットに参加している個々人を関係付けるユニット情報が無く、グループユニットとしての楽しみ、連帯感、一体感を提供するものではない。
【００１０】
本発明は、このような問題に鑑みてなされたものであり、文字データによるチャット形式の会話をする際に、通信の接続状態下にありながら、発話しない人も話の輪の中に存在している雰囲気を作り、みんなで会話を楽しんでいるという雰囲気を醸し出し、楽しくメッセージの交換を行うプログラム、方法、及び電子機器を提供する際に、上記のような問題に鑑みてなされたものであり、ユーザーを当該ユーザーの属するグループユニットに関連付けて表示できるようにするもので、特に小画面に適したユニット情報の表示ができるプログラム、方法、及び電子機器を提供することを目的とする。
また、文字データによるチャット形式の会話をする際に、発話しない人も話の輪の中に存在している雰囲気を作り、みんなで会話を楽しんでいるという雰囲気を醸し出し、楽しくメッセージの交換を行うプログラム、方法、及び電子機器を提供する際に、上記のような問題に鑑みてなされたものであり、特に小画面に適したユニット情報の表示ができるプログラム、方法、及び電子機器を提供することを目的とする。
そうすることで、送信者からのメッセージ情報に併せて、受信者から観て、例えば、送信者の搭乗している車両、送信者の所属する家族、送信者の向かう目的地等のユニット情報を直感的に把握することで、送信者の状況を想像しやすく、受信したメッセージ情報の理解の一助とすることができるプログラム、方法及び電子機器を提供することを目的とする。
【課題を解決するための手段】
【００１１】
（１）表示部（例えば、後述の表示部１１）と無線通信部（例えば、後述の無線通信部２０）とを備える電子機器（例えば、後述の電子機器２）が前記表示部に、前記無線通信部を介して送受信される送信者に関するユーザー情報と前記送信者が交信相手に伝えたいメッセージ情報とを含む情報を表示する方法であって、前記ユーザー情報は、前記送信者の識別情報と、前記送信者の属性情報と、を含み、前記電子機器が、前記表示部に前記属性情報に関連付けた第１表示位置（例えば、後述のユニット表示領域１１２Ａ及びメンバー表示領域１１２Ｂ）を設けて、前記識別情報又は属性情報の少なくともいずれかを前記第１表示位置に配置して表示する表示モード制御ステップを含む方法。
【００１２】
（１）の方法によれば、送信者（発話者）がユニット情報に基づいて整理されて表示されるので、「送信者（発話者）が誰であるか」の情報に加えて、「送信者（発話者）がどのユニットに属するか」という情報（例えば、どの車両に搭乗しているか、どの家族に属しているか、どの目的地に行くユニットに属しているか）を直感的に把握することができる。そうすることで、送信者（発話者）の状況を想像しやすく、受信したメッセージ情報の理解の一助とすることができる。
【００１３】
（２）前記表示モード制御ステップは、さらに前記表示部（例えば、後述の表示部１１）に、複数の属性情報のそれぞれに関連付けた複数の第１表示位置（例えば、後述のユニット表示領域１１２Ａ及びメンバー表示領域１１２Ｂ）を設定するステップと、複数の送信者から送受信される、各送信者の少なくとも前記識別情報又は属性情報の少なくともいずれかを、前記複数の第１表示位置のいずれかに配置して、同時に表示するステップと、を含む（１）に記載の方法。
【００１４】
（２）の方法によれば、（１）の方法と同様の効果を奏する。
【００１５】
（３）前記表示モード制御ステップは、
自機ユーザーの識別情報又は前記自機ユーザーの属性情報の少なくともいずれかをアイコン（例えば、後述のメンバーアイコン又はユニットアイコン）として、前記自機ユーザーの属性情報に関連付けた第１表示位置（例えば、後述のユニット表示領域１１２Ａ及びメンバー表示領域１１２Ｂ）を設けて配置して表示するステップと、前記自機ユーザーの属性情報に関連付けた第１表示位置を基準として、他の第１表示位置を設定して、自機ユーザー以外の送信者の識別情報又は送信者の属性情報の少なくともいずれかをアイコンとして、前記他の第１表示位置に配置して表示するステップと、を含む（１）又は（２）に記載の方法。
【００１６】
（３）の方法によれば、ユニット情報をアイコン化（以下「ユニットアイコン」ともいう）して表示するため、送信者（発話者）をアイコン化（以下「メンバーアイコン」ともいう）して表示することと相まって、送信者（発話者）の表示が整理され、視認性が向上することで、会話自体の楽しさを演出することができる。
【００１７】
（４）前記表示モード制御ステップは、前記アイコンを表示するための表示領域を、自機ユーザーを含む自機と接続される電子機器数に基づいて複数の分割表示領域に割り振るステップと、自機ユーザーの識別情報（例えば、後述のメンバー情報）と前記自機ユーザーの属性情報（例えば、後述のユニット情報）の少なくともいずれかをアイコン（例えば、後述のユニットアイコン又はメンバーアイコン）として、前記割り振られた複数の分割表示領域の一つの分割表示領域に前記自機ユーザーの属性情報に関連付けた第１表示位置（例えば、後述のユニット表示領域１１２Ａ及びメンバー表示領域１１２Ｂ）を設けて配置して表示するステップと、前記自機ユーザーの属性に関連付けた第１表示位置を基準として、自機ユーザー以外の各送信者の識別情報又は送信者の所属先の属性情報の少なくともいずれかをアイコンとして、前記自機ユーザーの属性情報に関連付けた第１表示位置が設定された以外の各分割表示領域に前記各送信者の属性情報に関連付けた第1表示位置をそれぞれ設けて配置して表示するステップと、を含む（３）に記載の方法。
【００１８】
（４）の方法によれば、通信接続されている機器の個数に基づいて、ユニットアイコン及びメンバーアイコンの表示位置を割り振るため、新たな機器（ユーザー）が通信接続された場合、また通信接続されていた機器（ユーザー）が通信接続を切断してチャットから退場する場合に、その都度、ユニットアイコン及びメンバーアイコンを動的に再配置することができる。さらに、通信接続数の増減に応じてユニットアイコン又はメンバーアイコンの配置位置が変わるので、画面の変化が大きく、通信接続数が増えたこと又は減少したことが容易に分かる。
【００１９】
（５）前記表示モード制御ステップは、前記アイコンを表示するための表示領域を、予め設定した任意の数で分割し、複数の分割表示領域を設定するステップと、前記複数の分割表示領域の各分割表示領域に、前記送信者の属性情報に関連付けた第１表示位置（例えば、後述のユニット表示領域１１２Ａ及びメンバー表示領域１１２Ｂ）を設けて、少なくとも前記送信者の識別情報又は送信者の属性情報の少なくともいずれかを前記第１表示位置に配置して表示するステップと、を含むことを特徴とする（１）乃至（３）に記載の方法。
【００２０】
（５）の方法によれば、ユニットアイコン及びメンバーアイコンの配置パターンが予め決まっている（表わされる位置が固定的）ので、接続の如何によらず画面が整理され、情報を直感的に把握し易い。また、円弧以外に、例えばタイル表示に基づく配置を行うことができる。
【００２１】
（６）表示部（例えば、後述の表示部１１）と無線通信部（例えば、後述の無線通信部２０）とを備える電子機器（例えば、後述の電子機器２）が前記表示部に、前記無線通信部を介して送受信される送信者に関するユーザー情報と前記送信者が交信相手に伝えたいメッセージ情報とを含む情報を表示する方法であって、前記ユーザー情報は、前記送信者の識別情報（例えば、後述のユーザー情報）と前記送信者の属性情報（例えば、後述のユニット情報）とを含み、前記電子機器が、前記表示部に前記前記送信者の属性情報を表示し、少なくとも前記情報を送受信する場合、前記送信者の識別情報を前記属性情報に関連付けて表示する表示モード制御ステップを含む方法。
【００２２】
（６）の方法によれば、送信者の属するユニット情報の表示に加えて、当該送信者からのメッセージ受信時（発話時）に、当該送信者のユーザー情報が表示されるため、誰が発話したか、直感的に把握することが可能になる。発話のない場合、送信者のユーザー情報が表示されないので、表示領域が整理され、見やすくなることができる。さらに、発話がない場合であっても、送信者の属するユニット情報が代表として表示されることから、そのユニットとしての存在を認識することができる。
【００２３】
（７）前記無線通信部（例えば、後述の無線通信部２０）は直接無線通信を行うものであることを特徴とする（１）乃至（６）に記載の方法。
【００２４】
（７）の方法によれば、直接無線通信によるため、通信費が掛からないか安くなる効果を有する。
【００２５】
（８）表示部（例えば、後述の表示部１１）と無線通信部（例えば、後述の無線通信部２０）とを備える電子機器（例えば、後述の電子機器２）のコンピュータに（１）乃至（７）のいずれかに記載の方法の各ステップを実行させるためのコンピュータプログラム。
【００２６】
（８）のプログラムによれば、（１）の方法と同様の効果を奏する。
【００２７】
（９）表示部（例えば、後述の表示部１１）と、送受信される送信者に関するユーザー情報と前記送信者が交信相手に伝えたいメッセージ情報とを含む情報を受信する無線通信部（例えば、後述の無線通信部２０）であって、前記ユーザー情報は、前記送信者の識別情報と前記送信者の属性情報とを含む、前記無線通信部と、前記表示部に前記属性情報に関連付けた第１表示位置（例えば、後述のユニット表示領域１１２Ａ及びメンバー表示領域１１２Ｂ）を設けて、前記識別情報又は属性情報の少なくともいずれかを前記第１表示位置に配置して表示する表示モード制御部と、を備える電子機器（例えば、後述の電子機器２）。
【００２８】
（９）の電子機器によれば、（１）の方法と同様の効果を奏する。
【発明の効果】
【００２９】
本発明によれば、文字データによるチャット形式の会話をする際に、発話しない人も話の輪の中に存在している雰囲気を作り、みんなで会話を楽しんでいるという雰囲気を醸し出し、楽しくメッセージの交換を行うことができる。
また、本発明によれば、例えば車やオートバイでのツーリング等、グループで一定の行動を共にする場合、グループの連帯感、グループ感、共同体としての一体感が楽しめる雰囲気を作り出すことができる。
また、本発明によれば、送信者からのメッセージ情報に併せて、受信者から観て、例えば、送信者の搭乗している車両、送信者の所属する家族、送信者の向かう目的地等のユニット情報を直感的に把握することで、送信者の状況を想像しやすく、受信したメッセージ情報の理解の一助とすることができる。
【図面の簡単な説明】
【００３０】
【図１】第１実施形態の電子機器２の機能構成を示すブロック図である。
【図２】第１実施形態の記憶部３２の記憶するデータ構成を示すブロック図である。
【図３】メッセージアイコンの例を示す図である。
【図４Ａ】第１実施形態の配置パターンＡの表示例を示す図である。
【図４Ｂ】第１実施形態の配置パターンＢの表示例を示す図である。
【図４Ｃ】第１実施形態の配置パターンＣの表示例を示す図である。
【図４Ｄ】第１実施形態の電子機器２の表示部１１にボタンウィジェット１１４をスライドイン／スライドアウトする操作例を示す図である。
【図４Ｅ】第１実施形態の電子機器２がメッセージを受信した場合に、当該メッセージのメッセージ表示領域１１１における表示例を示す図である。
【図４Ｆ】第１実施形態の電子機器２がテキストメッセージを受信した場合に、当該テキストメッセージの第１表示領域１１１における表示例を示す図である。
【図４Ｇ】第１実施形態の電子機器２がメッセージを送信する場合の画面遷移例を示す図である。
【図４Ｈ】第１実施形態の電子機器２がボイスメールを送信する場合の画面遷移例を示す図である。
【図５Ａ】第１実施形態の電子機器２の表示部１１に表示される相対位置表示領域１１５の表示例を示す図である。
【図５Ｂ】第１実施形態の相対位置表示領域１１５に表示される先行車の表示例を示す図である。
【図５Ｃ】第１実施形態の相対位置表示領域１１５に表示される対抗車の表示例を示す図である。
【図５Ｄ】第１実施形態の相対位置表示領域１１５に表示される後続車の表示例を示す図である。
【図５Ｅ】第１実施形態の相対位置表示領域１１５に表示される右前方車の表示例を示す図である。
【図５Ｆ】第１実施形態の相対位置表示領域１１５に表示される左前方車の表示例を示す図である。
【図５Ｇ】第１実施形態の相対位置表示領域１１５の２車線の表示例を示す図である。
【図５Ｈ】第１実施形態の相対位置表示領域１１５の２車線の反対車線における対向車の表示例を示す図である。
【図５Ｉ】第１実施形態の電子機器２の表示部１１に表示される相対位置表示領域１１５をタップすることで、複数の移動機器一覧表示画面に移行する表示例を示す図である。
【図６】第２実施形態の電子機器２の機能構成を示すブロック図である。
【図７Ａ】第２実施形態における第２表示（地図表示）の例を示す図である。
【図７Ｂ】第２実施形態における第２表示（地図表示）に第２ボタンウィジェット１１４Ｂを表示した表示例を示す図である。
【図７Ｃ】第２実施形態における第２表示（地図表示）に第２ボタンウィジェット１１４Ｂを表示した別の表示例を示す図である。
【図７Ｄ】第２実施形態における第２表示（地図表示）に第２ボタンウィジェット１１４Ｂをスライドイン／スライドアウトする操作例を示す図である。
【図７Ｅ】第２実施形態における第２表示（地図表示）と第１表示（全画面表示）との切替えに係る操作例を示す図である。
【図７Ｆ】第２実施形態における第２表示（地図表示）において、新たな移動機器の接続があった場合に、地図表示上にメンバーアイコンが動的に追加配置される表示例を示す図である。
【図７Ｇ】第２実施形態における第２表示（地図表示）において、接続されていた移動機器が離脱した場合に、地図表示上にメンバーアイコンが非表示となる例を示す図である。
【図７Ｈ】第２実施形態における第２表示（地図表示）において、テキストメッセージを受信した場合に、当該テキストメッセージの表示例を示す図である。
【図７Ｉ】第２実施形態における第２表示（地図表示）において、メッセージを送信する場合の画面遷移例を示す図である。
【発明を実施するための形態】
【００３１】
［第１実施形態］
以下、本発明の電子機器の好ましい一実施形態について、図面を参照しながら説明する。最初に、図１を参照して、第１実施形態に係る電子機器について説明する。
【００３２】
［第１実施形態に係る電子機器の機能構成］
第１実施形態に係る車両等は、道路上を移動する自車両１、及び他の車両、オートバイ、自転車、歩行者及び舟艇等を意味する。
なお、車両等の備える（又は、有する、又は内部にある）電子機器（以下「移動機器」ともいう）には、当該電子機器を一意的に識別するための識別ＩＤが付与されており、識別ＩＤにより、電子機器が、車両、オートバイ、舟艇、自転車、歩行者の車両等の備えるものであるかを識別できる。
【００３３】
第１実施形態に係る電子機器２は、車載ナビゲーション装置、ＰＮＤ（Ｐｅｒｓｏｎａｌ  Ｎａｖｉｇａｔｉｏｎ  Ｄｅｖｉｃｅ）等を含むナビゲーション装置、スマートフォン等の携帯型端末装置、タブレット端末、ＰＤＡ、ノートパソコン、携帯電話、その他無線通信機能を備える携帯可能な電子機器を含む。特に、画面サイズが、１０インチ以内、特に７インチ以下の小画面ディスプレイを備える電子機器に好適である。ただし、画面サイズが１０インチ以上のディスプレイを備える電子機器にも適用できる。
【００３４】
図１を参照して、本発明の第１実施形態に係る電子機器２の機能構成について説明する。図１は、第１実施形態に係る車両等の備える電子機器２の機能構成を示す機能ブロック図である。
第１実施形態に係る車両等の携行する電子機器２（以下、特に断らない限り、「移動機器」又は単に「自機」ともいう）は、制御部４０と、無線通信部２０と、ＧＰＳ受信機と、ＧＰＳ処理部３１と、記憶部３２と、表示部１１と、スピーカ１２と、マイク１３と、操作部１４と、カメラ１５とを含んで構成され、車両等の移動手段に持ち込まれる。
【００３５】
＜メッセージ交換＞
自機と他の車両等の携行する電子機器（以下、特に断らない限り、「他の移動機器」」又は単に「他機」ともいう）との間で交換される定型（かつ定形）文メッセージとしては、例えば、任意のグループメンバーが、複数台でのツーリングドライブをしているときに、仲間の車とリアルタイムにやりとりする、「トイレ休憩」、「コーヒータイム」、「コンビニ」、「休憩」等の提案メッセージとそれに対する「了解」等の応答メッセージ、また、相手の対応に対して感謝の意を伝える「ありがとう」等の応答メッセージ、及び仲間内の目的地の変更等の提案メッセージとそれに対する応答メッセージ等がある。
また、例えば、対向車等から「こんにちは」等のあいさつ、見えない先の交通障害に関する定型（かつ定形）文メッセージがある。
また、例えば交差点等において、歩行者存在通知、道路横断する旨の通知等の定型（かつ定形）文メッセージ（例えば、「渡ります」等の定型（かつ定形）文メッセージ）がある。
【００３６】
なお、自機と他機との間で交換されるメッセージとして、定型（かつ定形）文メッセージの外、例えば、カメラ画像、テキストメッセージ、ボイスメール等のメッセージを含むことができる。なお、カメラ画像、テキストメッセージ等は枠内表示することができる。
【００３７】
自機と他機との間で交換されるメッセージは、メッセージ情報に加えて、自機及び他の移動機器を一意的に識別するための識別ＩＤ、ＧＰＳ情報、時刻情報、発信者（ユーザー）に関するプロファイル情報（「ユーザー情報」ともいう）、情報種別、情報の緊急度、及び情報の重要度を含むことができる。ここで、発信者（ユーザー）に関するプロファイル情報は、発信者（ユーザー）の識別情報（「メンバー情報」又は「パーソナル情報」ともいう）及び発信者（ユーザー）の属性情報（「ユニット情報」ともいう）等を含むことができる。発信者が車両に搭乗している場合、当該車両の車種情報を含むことができる。
【００３８】
［属性情報(ユニット情報）］
送信者（ユーザー）の属性情報（ユニット情報）とは、送信者（ユーザー）がどのグループに属するか、を示す情報である。送信者（ユーザー）の属性情報（ユニット情報）の例として、送信者（ユーザー）が乗車する車両が挙げられる。
例えば、複数のユーザーが複数の車両に分乗してツーリングに出かける場合に、ユーザーの属性情報（ユニット情報）を、当該ユーザーの搭乗している車両とすることで、ツーリング時に、チャットを行う場合、送信者（発話者）が搭乗している車両に基づいて整理されて表示することが可能となり、「送信者（発話者）が誰であるか」の情報に加えて、送信者（発話者）がどの車両に搭乗しているか、を直感的に把握することができる。そうすることで、チャット時に、送信者（発話者）の状況を想像しやすく、受信したメッセージ情報の理解の一助とすることができる。
なお、属性情報（ユニット情報）は車両に限定されない。例えば、複数の家族でツーリング等する場合には、それぞれの「家族」をユニット情報とすることができる。また、最終目的地が異なる複数のグループがツーリング等する場合には、「最終目的地」をユニット情報とすることができる。このように、ユニット情報は、複数の送信者をグルーピングする場合に、時間、場所、状況等に応じて設定することができる。
以下、特に断らなければ、前記情報を総称して「コミュニケーション情報」ともいう。
【００３９】
無線通信部２０は、他の移動機器との送受信の場合には、例えば１対Ｎ通信及び１対１通信の可能なＷｉＦｉダイレクト通信を、サーバとの送受信の場合には、例えばＷｉＦｉアクセスポイント接続又は３Ｇ／ＬＴＥ（３ｒｄ Ｇｅｎｅｒａｔｉｏｎ  ／  Ｌｏｎｇ  Ｔｅｒｍ  Ｅｖｏｌｕｔｉｏｎ）等の通信をすることができるように、複数の通信プロトコルを実装することができる。
【００４０】
ＷｉＦｉダイレクト通信により、自機は、例えば、１００ｍ程度離れた通信可能なエリア内にある周辺の他の移動機器と直接無線通信をすることができる。また、通信可能なエリア内の移動機器をアクセスポイントとして、当該移動機器の通信可能なエリア内にある他の移動機器と無線通信をすることができる。このようにすることで、例えば、自機は、通信可能なエリアを拡げることが可能となる。
【００４１】
また、ＷｉＦｉアクセスポイント接続又は３Ｇ／ＬＴＥ等により、自機は、例えばＶＩＣＳ（登録商標）センタやナビゲーションサーバ等のサーバと無線通信を行うことが可能に構成されている。無線通信部２０は、このようなサーバから、例えば地図情報や渋滞情報等のデータを受信することができる。
【００４２】
なお、無線通信部２０の具備する通信プロトコルは、ＷｉＦｉダイレクト通信、ＷｉＦｉアクセスポイント接続、又は３Ｇ／ＬＴＥに限定されるものではない。無線通信部２０は、他の移動機器と直接送受信するための１対１通信及び１対Ｎ通信の可能な通信プロトコル、及びサーバ等との送受信するための通信プロトコルを具備すればよい。
【００４３】
無線通信部２０は、他の移動機器からコミュニケーション情報を受信する情報受信部２１と、自機からコミュニケーション情報を他の移動機器に対して送信する情報送信部２２とを有する。
【００４４】
ＧＰＳ処理部３１は、ＧＰＳ受信機（図示せず）を介して複数のＧＰＳ衛星から現在地点の緯度経度を含む測位用データを含む電波を受信し、測位用データと現在走行中の道路の地図情報とに基づいて、自機の現在位置を算出する。
【００４５】
＜表示部＞
表示部１１は、例えばスマートフォンなどの電子機器２の本体前面に設けられた液晶ディスプレイ等により構成され、後述する表示制御部４３により、ユーザーに対して、コミュニケーション情報を表す各種アイコン等を表示することができる。
次に、表示部１１に各種情報がアイコンによってどのように表示されるか、説明する。なお、以下に説明する表示部１１への表示は、後述する表示制御部４３により制御される。
【００４６】
［メッセージアイコン］
定型（かつ定形）文メッセージ、例えば「トイレ休憩」、「コーヒータイム」、「コンビニ」、「休憩」等の提案メッセージ、提案メッセージに対する「了解」等の応答メッセージのような仲間内の連絡情報、相手の対応に対して感謝の意を伝える「ありがとう」等の感謝の意を伝えるメッセージ、「こんにちは」のような挨拶、「この先渋滞」のような「交通障害情報」等複数の定型（かつ定形）文メッセージを、メッセージシンボルとして表現するアイコン（以下、「メッセージアイコン」ともいう）に対応づけることで、無線通信部２０を介して受信した定型（かつ定形）文メッセージの表示を、例えば、図４Ａにメッセージアイコン５０１として示すように、簡易化することができる。なお、メッセージアイコンの例を図３に示す。
また、自機と他機との間で交換されるメッセージとして、例えば、カメラ画像、テキストメッセージ、ボイスメール等のメッセージを含むことができる。この場合、カメラ画像、テキストメッセージ等は一定の大きさに予め決めてある定形の枠内画像表示又は枠内文字表示することができる。
【００４７】
［メッセージアイコンの効果］
そうすることで、例えば、次のような効果を奏することができる。
（１）文字メッセージをそのまま表示すると、読む分、直感的把握ではなくなるのに対し、図形もしくは図形的なので、直感的に理解できる。
（２）文字メッセージをそのまま表示する場合、被覆面積が画面中央側に張り出してくるが、アイコン表現のメッセージの場合、一定の大きさに設定できるので、その分張り出しを抑制できる。
（３）メッセージアイコンを送受信者共通の雛型として用意しておき、それを各機に記憶保存しておき、通信データには画像データそのものではなく識別情報を使用し、それを基に受信側で記憶しているデータを呼出して表示することで、送受信データをその分軽くすることができ、通信、とりわけ近距離無線の直接通信において都合が良い。
【００４８】
［メンバーアイコン］
例えば、図４Ａに示すように、チャットに参加している送信者（ユーザー）の識別情報をキャラクターとして表示部１１上に表現する場合、当該キャラクターをメンバーアイコン５０２という。当該送信者の使用する移動機器は、当該送信者を表すメンバーアイコンにより表現することができる。
以下、特に断らなければ、メンバーアイコンをユーザーの顔を例として説明するが、メンバー情報はユーザーの顔に限定されない。例えば、車の絵柄をメンバーアイコンとしてもよい。
【００４９】
［ユニットアイコン］
チャットに参加している送信者（ユーザー）の属性情報（ユニット情報）をキャラクターとして表示部１１上に表現する場合、当該キャラクターをユニットアイコンという。例えば、当該送信者の属性情報（ユニット情報）を搭乗する車両とした場合、当該車両を表すユニットアイコンにより表現することができる。本実施形態では、車両を表すユニットアイコンを例として説明する。
このように、送信者（ユーザー）のユーザー情報のうち、ユーザーの識別情報（「メンバー情報」）は、メンバーアイコンにより、またユーザーの属性情報（「ユニット情報」）は、ユニットアイコンによって表現することができる。
【００５０】
以下、メンバーアイコン及びユニットアイコンのいずれもユーザーアイコンともいう。すなわち、ユーザーアイコンは、メンバーアイコン又はユニットアイコンのいずれか又は両方を指す。
ユーザーアイコン（メンバーアイコン及びユニットアイコン）は、後述する設定ボタン１１４２を押下することにより表示される設定画面を用いて予め登録することができる。ユーザーは、予め作成されているテンプレートを利用することで、ユーザーアイコンを設定することができる。また、ユーザーが作成することもできる。
そして、ユーザーが、メンバーアイコンに人の顔を登録した場合、表示部１１には、メンバーアイコンとして登録された人の顔が表示される。また、ユーザーが、ユニットアイコンとして、車を登録した場合には、表示部１１には、ユニットアイコンとして登録された車が表示される。
【００５１】
メッセージの送信元となる移動機器を使用して通信をしているユーザーに対応するユーザーアイコン（以下、「移動機器に対応するユーザーアイコン」ともいう）と当該メッセージに対応するメッセージアイコンとは、例えば図４Ａに示すように、吹き出し５０４により関連付けて表示するようにできる。
【００５２】
［全画面表示］
次に、メッセージアイコン及びユーザーアイコンを表示部１１に表示する際の配置パターンについて説明する。
本実施形態では、チャットを行う際に、ユーザーアイコンとメッセージアイコンとを表示部１１の全画面を使用して表示する。以下にその表示形態について説明する。
【００５３】
［メッセージ表示領域、ユニット表示領域、及びメンバー表示領域］
最初に、メッセージ情報（メッセージアイコン）を表示するための表示領域をメッセージ表示領域１１１、ユニット情報(ユニットアイコン）を表示するための表示領域をユニット表示領域１１２Ａ、及びメンバー情報（メンバーアイコン）を表示するための表示領域をメンバー表示領域１１２Ｂという。
以下、ユニット表示領域１１２Ａ、及びメンバー表示領域１１２Ｂのいずれもユーザー表示領域１１２ともいう。すなわち、ユーザー表示領域１１２は、ユニット表示領域１１２Ａ又はメンバー表示領域１１２Ｂのいずれか又は両方を指す。
【００５４】
本実施形態における、メッセージアイコン及びユーザーアイコンを表示部１１に表示する場合の配置パターンは、ユーザーの識別情報（メンバー情報）を当該ユーザーの属性情報(ユニット情報）に関連付けて表示する点で共通である。
以下に例示する図４Ａ〜４Ｉ等においては、メンバー情報（例えば、メンバーアイコン）として人の絵柄を、ユニット情報（例えば、ユニットアイコン）として車両の絵柄を採用する。しかし、メンバーアイコンは人の絵柄に、ユニットアイコンは車両の絵柄に限定されない。任意の絵柄を設定することができる。
なお、ユニットアイコンとメンバーアイコンの表示に際して、例えば、ユニットアイコンにおける背景色及び／又はアイコンの外周の色等をメンバーアイコンのそれと異なる色にすることで、両者を区別して表示することができる。
【００５５】
次に、ユニットアイコン、メンバーアイコン、及びメッセージアイコンを表示部１１に表示する際の３つの配置パターンについて説明する。
表示部１１に、３つの配置パターンの内、どの配置パターンで表示するか、については、後述する情報設定部４４によって予め設定することができる。
【００５６】
＜配置パターンＡ＞
図４Ａに配置パターンＡを示す。
図４Ａに示すように、配置パターンＡは、３重環となる３つの表示領域を設ける点に特徴がある。
最外周にユニットアイコン５０３を表示するためのユニット表示領域１１２Ａを設ける。その内側に円弧又は円周状に、メンバーアイコン５０２を表示するためのメンバー表示領域１１２Ｂを設け、さらに、その内側の表示部１１の中央にメッセージ情報（メッセージアイコン５０１）を表示するメッセージ表示領域１１１を設ける。このように同心円状にユニットアイコン５０３、メンバーアイコン５０２、及びメッセージアイコン５０１が表示される。
こうすることで、ユニット表示領域１１２Ａに関連付けられたメンバー表示領域１１２Ｂに表示されるメンバーアイコンは、当該メンバーの属性情報であるユニットアイコンに近接して表示されることになる。そして、各メンバー表示領域１１２Ｂに表示されるユーザーの識別情報（メンバーアイコン）がメッセージ表示領域１１１を取り囲んでいるように表示できる。
これにより、ユーザーの属性情報が同じユニット情報（ユニットアイコン）となる全てのユーザーのメンバーアイコンは、同一ユニットグループとしての纏り感を演出することができる。
【００５７】
［ユニットアイコン及びメンバーアイコンの配置場所］
チャットに参加している（すなわち、現在通信可能な状態にある）ユーザー（移動機器）が関係付けられるユニットアイコンは、後述する第１表示モード制御部４３１により、所定の間隔を設けてユニット表示領域１１２Ａ上に配置することができる。
例えば、現在表示されているユニットアイコンの個数をｎ（＞１）とすると、式（１）に示す各度θ１により、円周状のユーザー表示領域１１２をｎ個の表示領域に分割することができる。ｎ個の各分割表示領域には、それぞれ異なるユニットアイコンが関連付けられることから、ｎ個のユニットアイコンを等間隔に配置することができる。
θ１  ＝  ３６０度／ｎ                        （式１）
また、ｎ個の各分割表示領域には、メンバー表示領域１１２Ｂをｎ個に分割した領域に対応づけられることから、ユーザーの属性情報が同じユニット情報（ユニットアイコン）となるユーザーのメンバーアイコンを当該ユニットアイコンに近接した、分割表示領域に配置することができる。
こうすることで、ｎ個の各ユニットアイコンに近接しているｎ個の各分割表示領域を関連付けることが可能となる。
【００５８】
なお、例えば、車両をユニットとした場合、車両には定員が決められていることから、車両ユニットと関連付けられるユーザーの最大数は定員数となる。このように、各ユニットアイコンと関連付けられるメンバーアイコンの最大個数が予め設定されている場合、各ユニットアイコンに関連付けられるメンバーアイコンを表示する領域は、各ユニットアイコンと関連付けられるメンバーアイコンの最大個数に比例して、円周状のメンバー表示領域１１２Ｂを分割して用意することもできる。
【００５９】
［自機のユーザーのユーザーアイコンの配置場所］
配置パターンＡにおいて、自機を使用して通信をしているユーザーに対応するユーザーアイコン（以下、「自機に対応するユーザーアイコン」ともいう）と他の移動機器（の利用者である他の送信者）に対応するユーザーアイコン（ユニットアイコン及びメンバーアイコン）とを直感的に区別することが好ましい。
このため、配置パターンＡにおいては、自機に対応するユーザーアイコン（ユニットアイコン及びメンバーアイコン）を、例えば、表示部１１の中央下に配置される、ユーザー表示領域１１２に、表示することができる。
なお、自機に対応するユーザーアイコン（ユニットアイコン及びメンバーアイコン）を配置する場所は、表示部１１の中央下に限定されない。例えば、中央左に配置してもよい。後述の情報設定部４４により、任意の場所に設定することができる。
【００６０】
［動的配置］
無線通信部２０を介して、新たな移動機器との通信接続が確立され、当該移動機器のユーザーの属性情報（ユニット情報）が未表示のユニットアイコンに対応する場合、後述する第１表示モード制御部４３１により、ユニット表示領域１１２Ａ上に既表示されているユニットアイコンに、新たなユニットアイコンを追加して、動的に再配置することができる。
そして、ユニットアイコンの再配置に合わせて、チャットに参加している全ての移動機器のユーザーのメンバーアイコンを、メンバー表示領域１１２Ｂ内に、当該メンバーアイコンと関連づけられた各ユニットアイコンに近接して動的に再配置することができる。
【００６１】
［メンバーアイコン］
通常時には、メンバー領域メンバー１１３に収まるように、メンバーアイコンを小さく表示し、又は重畳表示、又は非表示にすることができる。ユーザーからのメッセージを受信した場合、すなわちユーザーが発話した場合に、当該メンバーアイコンを大きく表示することで、新たなメッセージが当該ユーザーから送信されたことを強調することができる。その後、所定時間経過後に当該ユーザーアイコンを小さく表示し、又は重畳表示、又は非表示にすることができる。
【００６２】
＜配置パターンＢ＞
図４Ｂに配置パターンＢを示す。
図４Ｂに示すように、表示部１１の中央にメッセージアイコンを表示するメッセージ表示領域１１１を設ける。メッセージ表示領域１１１の少なくとも３方を囲むように、ユニットアイコンを表示するユニット表示領域１１２Ａを設ける。ユニット表示領域１１２Ａは、当該ユニット情報（ユニットアイコン）に関連付けられたユーザーの識別情報（メンバーアイコン）を表示するメンバー表示領域１１２Ｂと関連付けて設けられる。
【００６３】
図４Ｂに示すように、配置パターンＢにおいては、各ユニット表示領域１１２Ａと、当該ユニット情報（ユニットアイコン）に関連付けられるユーザーの識別情報（メンバーアイコン）を表示する各メンバー表示領域１１２Ｂとを一括りにした領域が、Ｕ字状を形成する。
こうすることで、当該ユニット表示領域１１２Ａに関連付けられたメンバー表示領域１１２Ｂに表示されるメンバーアイコンは、当該メンバーの属性情報であるユニットアイコンに近接して表示されることになる。そして、各メンバー表示領域１１２Ｂに表示されるユーザーのメンバーアイコンがメッセージ表示領域１１１を取り囲んでいるように表示できる。
これにより、各ユニット情報（ユニットアイコン）に関連づけられるユーザーの識別情報（例えば、メンバーアイコン）は、他のユニット情報と区別され、纏り感を演出することができる。
【００６４】
［ユニットアイコン及びメンバーアイコンの配置場所］
後述する第１表示モード制御部４３１により、予め所定個数（例えば、Ｍ個）のメンバーアイコンをメンバー表示領域１１２Ｂ上に、配置できるように所定の間隔を設けて、メンバーアイコン配置場所を用意しておくことができる。
例えば、ユニットが車両の場合には、メンバー表示領域１１２Ｂ上には、車両に搭乗できる定員数分のメンバーアイコン配置場所を用意しておくことができる。
【００６５】
［自機のユーザーのユーザーアイコン］
配置パターンＢにおいて、自機に対応するユーザーアイコンと他の移動機器（の利用者である他の送信者）に対応するユーザーアイコン（ユニットアイコン及びメンバーアイコン）とを直感的に区別することが好ましい。
このため、配置パターンＢにおいては、自機に対応するユーザーアイコン（ユニットアイコン及びメンバーアイコン）を、例えば、表示部１１の中央下に配置される、ユニット表示領域１１２Ａとそれに関連付けられたメンバー表示領域１１２Ｂに、表示することが好ましい。
なお、自機に対応するユーザーアイコン（ユニットアイコン及びメンバーアイコン）を配置する場所は、表示部１１の中央下に限定されない。後述の情報設定部４４により、任意の場所に設定することができる。
【００６６】
［動的配置］
無線通信部２０を介して、新たな移動機器との通信接続が確立され、当該移動機器を使用して通信をしているユーザーのメンバーアイコン（以下、「移動機器に対応するユーザーアイコン」ともいう）が、既表示のユニットアイコンに関連づけられる場合は、新たな移動機器に対応するメンバーアイコンを既表示のユニットアイコンに関連付けられるメンバー表示領域１１２Ｂ上の空いているメンバーアイコン配置場所に順番に配置することができる。このように意図的に「空き」を表示することによって、接続が無いことをはっきりと示すことができる。例えば、接続の許容残数であったり、いったん接続したのちに切断した相手がいるという事態が生じたことが直感的に分かる。
【００６７】
［メンバーアイコン］
配置パターンＡと同様に、メンバー領域メンバー１１３に収まるように、メンバーアイコンを小さく表示し、又は重畳表示、又は非表示にすることができる。ユーザーからのメッセージを受信した場合、すなわちユーザーが発話した場合に、当該メンバーアイコンを大きく表示することで、新たなメッセージが当該ユーザーから送信されたことを強調することができる。その後、所定時間経過後に当該ユーザーアイコンを小さく表示し、又は重畳表示、又は非表示にすることができる。
なお、ユニットアイコンが表示されていることから、発話のないメンバーアイコンを非表示としても、ユニットグループとしての纏り感を演出することができる。
【００６８】
＜配置パターンＣ＞
図４Ｃに配置パターンＣを示す。
図４Ｃに示すように、ユニット表示領域１１２Ａを表示部１１の左側の一辺の方向に合うように設ける。ユニット表示領域１１２Ａの右側にメンバー表示領域１１２Ｂを設ける。さらに、メンバー表示領域１１２Ｂの右側にメッセージ表示領域１１１を設けて、左から順番にユニットアイコン、メンバーアイコン、及びメッセージアイコンを表示する。
メンバーアイコンは、当該メンバーの属するユニットアイコンに隣接して並べて配置表示することで、他のユニットと区別されたユニットとしての纏り感を演出することができる。なお、メンバーアイコンは四角いタイル状の形態が好ましい。
図４Ｃに示す配置パターンＣは、横画面表示としているが、横画面表示に限定されない。縦画面表示としてもよい。また、ユニット表示領域１１２Ａを表示部１１の左側の一辺の方向に合うように設けたが、これに限定されない。左右を反転させた配置パターンにしてもよい。
【００６９】
［ユニットアイコン及びメンバーアイコンの配置場所］
ユニットアイコンの最大個数が予め設定されている場合、表示部１１の左側の一辺の方向に、ユニットアイコンの最大個数分のユニット情報表示位置を用意することができる。
各ユニットアイコンと関連付けられるメンバーアイコンの最大個数が予め設定されている場合、各ユニットアイコンに関連付けられるメンバーアイコンを表示するメンバー表示領域１１２Ｂは、各ユニットアイコンと関連付けられるメンバーアイコンの最大個数分、用意することができる。
【００７０】
［自機のユーザーのユーザーアイコン］
配置パターンＣにおいて、自機に対応するユーザーアイコンと他の移動機器（他の送信者）に対応するユーザーアイコン（ユニットアイコン及びメンバーアイコン）とを直感的に区別することが好ましい。
このため、配置パターンＣにおいては、自機に対応するユーザーアイコン（ユニットアイコン及びメンバーアイコン）を、例えば、表示部１１の一番上側に位置するユニット表示領域１１２Ａ及びそれに関連付けられたメンバー表示領域１１２Ｂに、それぞれ表示することができる。
なお、自機に対応するユーザーアイコン（ユニットアイコン及びメンバーアイコン）を配置する場所は、表示部１１の一番上に限定されない。後述の情報設定部４４により、任意の場所に設定することができる。
【００７１】
［動的配置］
無線通信部２０を介して、新たな移動機器との通信接続が確立され、当該移動機器のユーザーの属性情報（ユニット情報）が未表示のユニットアイコンに対応する場合、後述する第１表示モード制御部４３１により、ユニット表示領域１１２Ａ上の空いているユニット情報表示位置に、新たな移動機器のユーザーの属性情報（ユニットアイコン）を配置することができる。同時に、当該移動機器のユーザーのメンバーアイコンを当該ユニットアイコンに関連付けられるメンバー表示領域１１２Ｂのメンバーアイコン配置場所に配置することができる。
なお、新たに通信接続された移動機器のユーザーの属性情報（ユニット情報）が、既表示のユニットアイコンに対応する場合は、既表示のユニット情報に関連付けられたメンバー表示領域１１２Ｂ上の空いているメンバーアイコン表示場所に順番に配置することができる。このように意図的に「空き」を表示することによって、接続が無いことをはっきりと示すことができる。例えば、接続の許容残数であったり、いったん接続したのちに切断した相手がいるという事態が生じたことが直感的に分かる。
例えば、ユニットが車両の場合には、メンバー表示領域１１２Ｂ上には、車両に搭乗できる定員数分のメンバーアイコン配置場所を用意しておくことが好ましい。
【００７２】
［メンバーアイコン］
配置パターンＡと同様に、メンバー領域メンバー１１２Ｂに収まるように、メンバーアイコンを小さく表示し、又は重畳表示、又は非表示にすることができる。ユーザーからのメッセージを受信した場合、すなわちユーザーが発話した場合に、当該メンバーアイコンを大きく表示することで、新たなメッセージが当該ユーザーから送信されたことを強調することができる。その後、所定時間経過後に当該ユーザーアイコンを小さく表示し、又は重畳表示、又は非表示にすることができる。
なお、ユニットアイコンが表示されていることから、発話のないメンバーアイコンを非表示としても、ユニットグループとしての纏り感を演出することができる。
【００７３】
次に、全ての配置パターンＡ〜配置パターンＣにおいて共通の事項について説明する。
［メッセージアイコンとメンバーアイコンとの関連付け］
図４Ａ〜図４Ｃに示すように、例えばメンバー表示領域１１２Ｂにメッセージの送信元となる移動機器に対応するメンバーアイコン（発話者）を表示し、メッセージ表示領域１１１に当該メッセージに対応するメッセージアイコンをメンバーアイコンに、例えば吹き出しにより関連付けて表示するようにできる。
【００７４】
こうすることで、送信者（発話者）がユニット情報に基づいて整理されて表示されるため、「送信者（発話者）が誰であるか」の情報に加えて、「送信者（発話者）がどのユニットに属するか」という情報（例えば、どの車両に搭乗しているか、どの家族に属しているか、どの目的地に行くユニットに属しているか）を直感的に把握することができる。
【００７５】
［選択可能なメッセージアイコンの一覧］
図４Ａに示すように、表示部１１上の例えば下部に設けた所定の表示領域（以下「第３表示領域１１３」ともいう）に、選択可能な定型（かつ定形）文メッセージに対応するメッセージアイコンの一覧を表示することができる。アイコンは選択及び送信のためのボタン機能を有し、後述するように、ユーザーは、定型（かつ定形）文メッセージをチャットに参加している移動機器に送信する場合、第３表示領域１１３に表示された複数のメッセージアイコンの一覧から、送信しようとするメッセージに対応するメッセージアイコンを選択することで、後述するメッセージ処理部４５により、当該定型（かつ定形）文メッセージを簡単に送信することができる。
【００７６】
図４Ａに示すように、第３表示領域１１３内の上部にメッセージのカテゴリーを選択するためのボタン（例えば、コンボイ、交通障害等）を表示され、メッセージのカテゴリー表示個所を、例えばタップすることにより選択すると、第３表示領域１１３内の下部に当該カテゴリーに属するメッセージに対応するメッセージアイコンの一覧が表示されるようにできる。なお、第３表示領域１１３内の下部を左右にスワイプ操作によりスクロールすることにより、隠れているメッセージアイコンが表示されるようにできる。当該メッセージアイコンをクリック又はタップすることにより、選択することができる。本実施例では送信処理まで行われる。
【００７７】
また、別変形例として、メッセージアイコンの表示を２段に分けて表示することができる。その場合、２段の内、一方を、所定のメッセージアイコンを並べた固定フォーマットとして、他方を例えばフリップ等により切替え可能（スクロール可能）な可変フォーマットとすることができる。固定側の一段に使用頻度の高いメッセージ又は即答要求に応答可能なメッセージを割り振ることで、操作性を向上させることができる。
なお、第３表示領域に表示されるメッセージアイコンは、通常小さく表示される。そこで、第３表示領域が表示部１１上の例えば下側に設けられている場合、下から上へのフリップ動作により、メッセージアイコンを拡大表示することもできる。
【００７８】
また、第３表示領域１１３に表示されているメッセージアイコンを長押しすることにより、当該アイコンに任意のコンテンツを登録するための登録画面を表示することができる。
なお、第３表示領域１１３の配置は、表示部１１上の下側に限定されない、表示部１１上の例えば上側等、所定の位置に配置してもよい。
また、メッセージアイコンの表示を２段に分けて表示する場合、一方を例えば、表示部１１の上側に、他方を表示部１１の下側に、分離して配置してもよい。
【００７９】
［ボタンウィジェット］
図４Ａ及び図４Ｂに示すように、表示部１１上の例えば左側に各種操作ボタンを備えるウィジェット（以下「ボタンウィジェット１１４」ともいう）を表示することができる。
なお、図４Ｃには、ボタンウィジェットを図示していないが、表示部１１の両側に表示することができる。
図４Ａ及び図４Ｂに示すように、ボタンウィジェット１１４を右ボタンウィジェット１１４Ａと左ボタンウィジェット１１４Ｂからなるように構成し、右ボタンウィジェット１１４Ａ及び左ボタンウィジェット１１４Ｂともに上下方向の中央部の領域を大きくとるとともに、幅が細くなるような形状を持たせることができる。
こうすることで、より広い範囲において、ユニット表示領域１１２Ａ及びメンバー表示領域１１２Ｂにおけるユニットアイコン及びメンバーアイコンの表示を阻害しないようにすることができる。
なお、ボタンウィジェット１１４については、左右に分離せずに、前述した操作ボタンを全て含む１つのボタンウィジェット１１４として、左側又は右側に表示するようにしてもよい。
【００８０】
［スライドイン／スライドアウト］
図４Ｄに示すように、左ボタンウィジェット１１４Ｂは左側から、スワイプ操作（指を画面に触れた状態で指を滑らせる操作）により、表示部１１にスライドイン／スライドアウトさせることができる。具体的には、表示部１１に左ボタンウィジェット１１４Ｂが表示されていない状態で、表示部１１に指を接触させた後に右方向に滑らせることにより、左ボタンウィジェット１１４Ｂが表示部１１の左側面にスライドインされる。また、表示部１１に左ボタンウィジェット１１４Ｂが表示された状態で、表示部１１に指を接触させた後に左方向に滑らせることにより、左ボタンウィジェット１１４Ｂが表示部１１の左側面からスライドアウトされる。
なお、左ボタンウィジェット１１４Ｂのスライドイン／スライドアウトについては、マルチタッチによるスライド操作の場合にのみ有効とし、シングルタッチによるスライド操作の場合には、無効としてもよい。
右ボタンウィジェット１１４Ａのスライドイン／スライドアウト操作についても左ボタンウィジェット１１４Ｂのスライドイン／スライドアウト操作と同様である。
【００８１】
右ボタンウィジェット１１４Ａは、コンボイボタン１１４１、設定ボタン１１４２を備え、左ボタンウィジェット１１４Ｂは、ボイスメールボタン１１４３、カメラ画像ボタン１１４４等を備える。
【００８２】
設定ボタン１１４２は、ユーザープロファイル情報（ユーザー情報）等の設定を行うための設定画面を表示するためのボタンである。設定ボタン１１４２を押下することで、表示部１１上に設定画面が表示され、例えば、自車の車種情報、ユーザーの識別情報（「メンバー情報」）、及びユーザーの属性情報（「ユニット情報」）の設定、挨拶メッセージ等の設定等を時間、場所、状況等に応じて適宜行うことができる。なお、前述したように、設定に際しては、予め設定されているテンプレートを利用することができる。また、ユーザーが作成することもできる。
例えば、自分の顔写真(又は絵）をメンバーアイコンとして、車の写真(又は絵柄）をユニットアイコンとして設定することができる。
また、表示部１１に、前述した３つの配置パターンＡ〜配置パターンＣの内、どの配置パターンで表示するかを指定する配置パターン種別（Ａ〜Ｃ）を予め設定することができる。
さらに、受信したメッセージを表示する場合、後述する相対位置表示領域１１５にメンバー情報又はユニット情報のいずれを表示するか、を受信側で選択して設定することができる。
同様に、送信側において、送信者のユーザーアイコンとしてメンバーアイコン又は、ユニットアイコンの何れかのみを送信するか、又は両方とも送信するか、予め設定登録することができる。
【００８３】
ボイスメールボタン１１４３は、ユーザーがボイスメールを作成するためのボタンである。ユーザーは、ボイスメールボタン１１４３を押下又はタッチすることで、表示部１１に表示される（又は音声で案内される）ガイダンスにしたがって、ボイスメールを作成することができる。ボイスメール作成後、後述のメッセージ処理部４５により、チャットに参加している（すなわち、現在通信可能な状態にある）移動機器に作成したボイスメールを送信することができる。
【００８４】
カメラ画像ボタン１１４４は、ユーザーが内蔵カメラによる画像メッセージを作成するためのボタンである。カメラ画像ボタン１１４４を押下又はタッチすることで、画像撮影のモードとなり、画像メッセージを作成することができる。画像メッセージ作成後、後述のメッセージ処理部４５により、チャットに参加している（すなわち、現在通信可能な状態にある）移動機器に作成した画像メッセージを送信することができる。
【００８５】
なお、図示していないが、テキストメッセージを作成するためのテキストボタンを備えることができる。テキストボタン１１４５を押下又はタッチすることで、ユーザーは、テキストを編集し、テキストメッセージを作成することができる。テキストメッセージ作成後、後述のメッセージ処理部４５により、チャットに参加している（すなわち、現在通信可能な状態にある）移動機器に作成したテキストメッセージを送信することができる。
【００８６】
［相対位置表示領域］
例えば、図４Ａに示すように、表示部１１上の例えば上部に、チャットに参加している（すなわち、現在通信可能な状態にある）ユーザー（移動機器）の自機に対する相対的な位置を表示するための表示領域（以下、「相対位置表示領域１１５」ともいう）が表示することができる。
なお、図４Ｂ及び図４Ｃには、相対位置表示領域を図示していないが、相対位置表示領域を適宜設けることができる。
図５Ａに示すように、表示部１１上の例えば上部に、チャットに参加している（すなわち、現在通信可能な状態にある）移動機器の自機に対する相対的な位置を表示するための表示領域（以下、「相対位置表示領域１１５」ともいう）が表示される。
相対位置表示領域１１５は、例えば、表示部１１の左右方向に延びるバー状に表示され、相対位置表示領域１１５には、例えば、自機に対応するユーザーアイコンを左右中央に配置し、自機に対応するユーザーアイコンにより左側を自機の進行方向前方、右側を進行方向後方として割当て、自機に対して前方に位置する移動機器に対応するユーザーアイコンを左側に配置し、自機に対して後方に位置する移動機器に対応するユーザーアイコンを右側に配置することができる。表示領域１１５の自機に対し一側を前方、他側を後方としてアイコンを配置することで、移動機器の自機に対する相対的な位置を直感的に把握することができる。
なお、後述するように、他の移動機器に対応するユーザーアイコンは、自機との接続時、又は他の移動機器からのコミュニケーション情報を受信した場合に、相対位置表示領域１１５に表示することができるが、自機に対応するユーザーアイコンについては、起動後適宜に相対位置表示領域１１５に表示することができる。
【００８７】
なお、相対位置表示領域１１５の配置場所は、表示部１１上の上部に限定されない、表示部１１上の例えば下部等、任意の位置に配置してもよい。
また、受信側において、他の移動機器に対応するユーザーアイコンとしてメンバーアイコン又はユニットアイコンのいずれを、相対位置表示領域１１５に表示するか、を選択して設定することができる。
デフォルト設定として、ユニットアイコンが表示されるようにすることもできる。なお、ユニットアイコンが送信されていない場合は、メンバーアイコンが表示される。
【００８８】
例えば、図４Ａ等には、他の移動機器に対応するユーザーアイコンとしてメンバーアイコンを、相対位置表示領域１１５に表示する例を記載しているが、これに限定されない。例えば、図５Ａ〜図５Ｉに、相対位置表示領域１１５に、ユニットアイコンを表示するように予め設定する場合について例示する。このように設定することで、ユニットアイコン（例えば車）を表示することができる。
送信側がメンバー情報及びユニット情報を送信している場合は、相対位置表示領域１１５には、ユーザーアイコンとしてメンバーアイコン又はユニットアイコンのいずれを、相対位置表示領域１１５に表示するか、が選択設定されている場合、選択されているアイコンが表示され、選択設定されていない場合、デフォルトとして、ユニット情報が表示される。ユニット情報が送信されない場合は、メンバー情報が表示される。
なお、受信側において、メンバー情報又はユニット情報のいずれを表示するか、を設定ボタン１１４２で選択して設定することができる。
【００８９】
後述する相対位置算出部４１は、チャットに参加している移動機器から、接続要求、接続確認応答、又はコミュニケーション情報、受信応答等を受信した場合、接続要求、接続確認応答、又はコミュニケーション情報、受信応答等に含まれる、緯度経度を含むＧＰＳ情報及び自機のＧＰＳ情報等に基づいて、当該移動機器の自機に対する相対的な位置、例えば、当該移動機器と自機との相対距離、自機に対する当該移動機器の前後位置、及び自機移動方向に対する当該移動機器の移動方向（例えば、同一車線前方、同一車線後方、反対車線前方、反対車線後方、前方の右方向、前方の左方向、後方の右方向、後方の左方向等）等を算出することができる。
次に図５Ａ〜図５Ｉを参照して、相対位置をどのように表示するか説明する。なお、相対位置表示領域１１５には、ユニットアイコンが表示されるようにするように設定されている場合について例示している。相対位置表示領域１１５にメンバーアイコンを表示するように設定されている場合については、車の絵柄に代わって、人の顔が表示される。
【００９０】
［相対距離バー］
例えば、図５Ａに示すように、他の移動機器との接続時、又は他の移動機器からのコミュニケーション情報受信時等に、当該他の移動機器に対応するユーザーアイコンを表示し、当該他の移動機器と自機との相対距離を、相対位置表示領域１１５に設けた相対距離バー表示領域１及び相対距離バー表示領域２において距離に比例したバー（以下、「相対距離バー」ともいう）により表示することができる。ここで、相対距離バー表示領域１及び相対距離バー表示領域２は、それぞれ、先行車に搭乗する他の移動機器との相対距離、及び後続車に搭乗する他の移動機器との相対距離を表す。こうすることで、直感的に他の移動機器と自機との相対的な距離及び前後関係を表示することができる。
【００９１】
［前後関係］
図５Ｂ〜図５Ｄに、先行車又は対向車に搭乗する他の移動機器との接続時又はコミュニケーション情報受信時等に、当該他の移動機器と自機との相対距離及び相対的な前後の位置関係を相対位置表示領域１１５により表示する例を示す。
図５Ｂに示すように、先行車に搭乗する他の移動機器との接続時又はコミュニケーション情報受信時等に、当該他の移動機器との相対距離を表示する場合、自機に対応するユーザーアイコンを表示部１１の左右方向の中央から右方向に動的に移動させて、相対距離バー表示領域１を大きめに表示するとともに、相対距離バー表示領域２を非表示又は短縮することができる。
その際、当該他の移動機器の進行方向について、自機と同じ移動方向を示すために、左側に向けた矢印を同時に表示することができる。なお、例えば、ユーザーアイコンを進行方向が分かる車両等の側面の絵柄とした場合に、当該他の移動機器に対応するユーザーアイコンの向きを自機と同じ方向に向くように表示することができる。コミュニケーション情報受信時等
【００９２】
同様に、図５Ｃに示すように、対向車に搭乗する他の移動機器との接続時又はコミュニケーション情報受信時等に、当該他の移動機器との相対距離を表示する場合、自機に対応するユーザーアイコンを表示部１１の左右方向の中央から右方向に動的に移動させて、相対距離バー表示領域１を大きめに表示するとともに、相対距離バー表示領域２を非表示又は短縮することができる。
その際、当該他の移動機器の進行方向について、自機と逆方向に向くことを示すために、右側に向けた矢印を同時に表示することができる。なお、例えば、ユーザーアイコンを進行方向が分かる車両等の側面の絵柄とした場合に、当該他の移動機器に対応するユーザーアイコンの向きを自機と逆方向に向くように表示することができる。
【００９３】
逆に、図５Ｄに示すように、後続車に搭乗する他の移動機器との接続時又はコミュニケーション情報受信時等に、当該他の移動機器との相対距離を表示する場合、自機に対応するユーザーアイコンを表示部１１の左右方向の中央から左方向に動的に移動させて、相対距離バー表示領域２を大きめに表示するとともに、相対距離バー表示領域１を非表示又は短縮することができる。
その際、当該他の移動機器の進行方向について、自機と同じ移動方向を示すために、左側に向けた矢印を同時に表示することができる。なお、例えば、ユーザーアイコンを進行方向が分かる車両等の側面の絵柄とした場合に、当該他の移動機器に対応するユーザーアイコンの向きを自機と同じ方向に向くように表示することができる。コミュニケーション情報受信時等
【００９４】
なお、図示しないが、対向車線上、自機の横を後方に通りすぎた対向車に搭乗する他の移動機器との接続時又はコミュニケーション情報受信時等に、当該他の移動機器との相対距離を表示する場合、自機に対応するユーザーアイコンを中央から前方に動的に移動させて、相対距離バー表示領域２を大きめに表示するとともに、相対距離バー表示領域１を非表示又は短縮することができる。
その際、当該他の移動機器の進行方向について、自機と逆方向に向くことを示すために、右側に向けた矢印を同時に表示することができる。なお、例えば、ユーザーアイコンを車両とした場合に、当該他の移動機器に対応するユーザーアイコンの向きを自機と逆方向に向くように表示することができる。
【００９５】
なお、他の移動機器が自機と同一車線にいる場合の他の移動機器に対応するユーザーアイコンの色と、他の移動機器が自機の対向車線にいる場合の他の移動機器に対応するユーザーアイコンの色とを異なる色にすることで、同一車線にいるか、又は対向車線にいるかを区別して表示してもよい。
【００９６】
［交差点左右］
図５Ｅ及び図５Ｆに、交差する道路等において、左右いずれかの前方車に搭乗する他の移動機器との接続時又はコミュニケーション情報受信時等に、当該他の移動機器と自機との相対距離及び相対的な左右の位置関係を相対位置表示領域１１５により表示する例を示す。
【００９７】
図５Ｅに示すように、右前方車に搭乗する他の移動機器との接続時又はコミュニケーション情報受信時等に、当該他の移動機器との相対距離を表示する場合、自機に対応するユーザーアイコンを表示部１１の左右方向の中央から右方向に動的に移動させて、相対距離バー表示領域１を大きめに表示するとともに、相対距離バー表示領域２を非表示又は短縮することができる。
その際、当該他の移動機器の進行方向について、自機から右前方方向に位置することを示すために、下側に向けた矢印を同時に表示することができる。なお、例えば、ユーザーアイコンを車両とした場合に、当該他の移動機器に対応するユーザーアイコンの向きを下側に向くように表示することができる。
【００９８】
同様に、図５Ｆに示すように、左前方車に搭乗する他の移動機器との接続時又はコミュニケーション情報受信時等に、当該他の移動機器との相対距離を表示する場合、自機に対応するユーザーアイコンを表示部１１の左右方向の中央から右方向に動的に移動させて、相対距離バー表示領域１を大きめに表示するとともに、相対距離バー表示領域２を非表示又は短縮することができる。
その際、当該他の移動機器の進行方向について、自機から左前方方向に位置することを示すために、図中上側に向けた矢印を同時に表示することができる。なお、例えば、ユーザーアイコンを進行方向が分かる車両等の側面の絵柄とした場合に、当該他の移動機器に対応するユーザーアイコンの向きを図中上側に向くように表示することができる。
【００９９】
なお、図示しないが、右後方車又は左後方車に搭乗する他の移動機器との接続時又はコミュニケーション情報受信時等に、当該他の移動機器との相対距離を表示する場合、自機に対応するユーザーアイコンを表示部１１の左右方向の中央から左方向動的に移動させて、相対距離バー表示領域２を大きめに表示するとともに、相対距離バー表示領域１を非表示又は短縮することができる。
その際、当該他の移動機器の進行方向について、自機から右後方に位置することを示すために、図中下側に向けた矢印を同時に表示することができる。また、当該他の移動機器に対応するユーザーアイコンの向きを図中下側に向くように表示することができる。なお、例えば、ユーザーアイコンを進行方向が分かる車両等の側面の絵柄とした場合に、左後方に位置する場合は、矢印及びユーザーアイコンの向きを図中上側に向くようにすることができる。
【０１００】
なお、他の移動機器が自機から右前方に位置する場合の当該移動機器に対応するユーザーアイコンの色と、他の移動機器が自機の左前方にいる場合の当該移動機器に対応するユーザーアイコンの色とを異なる色にすることで、右前方に位置するか、又は左前方に位置するかを区別して表示してもよい。
他の移動機器が自機から右後方に位置する場合及び左後方に位置する場合についても、当該移動機器に対応するユーザーアイコンの色を異なる色にすることで、右前方に位置するか、又は左前方に位置するかを区別して表示してもよい。
【０１０１】
［接続時又は受信時における拡大表示］
他の移動機器との接続時、又は他の移動機器からのコミュニケーション情報受信時等においては、後述するメッセージ受信直後に受信直後に、所定時間、相対位置表示領域１１５に表示される当該他の移動機器に対応するユーザーアイコンを拡大表示等により強調することができる。
【０１０２】
［上書き表示］
上記のとおり、他の移動機器との接続時、又は他の移動機器からのコミュニケーション情報受信時等、相対位置表示領域１１５に当該他の移動機器の相対位置情報が表示される。したがって、新たな移動機器との接続時、又は別の移動機器からのコミュニケーション情報受信時等には、一番最近に表示されていた相対位置情報に換えて、当該新たな移動機器、又は別の移動機器の相対位置情報が優先表示される。
現在通信可能な状態にある移動機器について、当該移動機器に対応するユーザーアイコンを相対位置表示領域１１５に表示しておくことができる。すなわち、相対位置表示領域１１５には、例えば、自機に対応するユーザーアイコンを表示部１１の左右方向の中央に配置し、自機に対して前方に位置する移動機器に対応するユーザーアイコンを左側に配置し、自機に対して後方に位置する移動機器に対応するユーザーアイコンを右側に配置しておくことができる。その場合、表示するユーザーアイコンは小さな大きさにすることができる。そうすることで、複数のユーザーアイコンを表示しておくことができる。なお、表示可能なユーザーアイコンの個数が制限される場合には、ユーザーアイコンの表示に際しては、最近に接続された移動機器、又は最近にコミュニケーション情報を受信した移動機器を優先することが好ましい。
【０１０３】
［２車線表示］
変形例として、例えば、図５Ｇに示すように、相対位置表示領域１１５に、自機と同一車線及び反対車線のそれぞれに対応する相対距離バー表示領域を設けることができる。そうすることで、自機と同一車線上、すなわち同じ方向を移動しているものであるか、又は自機と反対車線上、すなわち反対方向に移動しているものであるか、を直感的に表示することができる。
２車線表示の場合、例えば、図５Ｈに示すように、自機の同一車線に対応する相対距離バー表示領域における距離バーの表示の仕方及び同一車線に位置する他の移動機器に対応するユーザーアイコンの表示の仕方、また自機の反対車線に対応する相対距離バー表示領域における距離バーの表示の仕方及び反対車線に位置する他の移動機器に対応するユーザーアイコンの表示の仕方については、前述した相対位置表示領域１１５に、一車線に係る相対距離バー表示領域を設けた場合の表示の仕方と基本的に同じであり、説明を省略する。
【０１０４】
［相対位置情報の一覧］
相対位置表示領域１１５には、通常、一番最近に接続された移動機器、又は一番最近にコミュニケーション情報を発信した移動機器の相対位置情報が優先的に表示される。
全ての移動機器の位置情報を表示するためには、図５Ｉに示すように、例えば相対位置表示領域１１５内の領域を、タップすることにより、チャットに参加している（すなわち、現在通信可能な状態にある）全ての移動機器の位置情報が一覧として表示するようにできる。
そうすることで、相対位置表示領域１１５が、縦方向に広がり、複数の移動機器のそれぞれの相対位置情報が表示される。なお、縦方向に全ての移動機器の相対位置情報が収まらないときには、上下に例えばスワイプすることにより、隠れている移動機器の位置情報がスクロールされて、表示されるようにできる。
【０１０５】
なお、全ての移動機器の位置情報が一覧として表示されている場合に、表示部１１に全ての移動機器の位置情報が一覧として表示されている画面内の領域をタップすることにより、一番最近に接続された移動機器、又は一番最近にコミュニケーション情報を発信した移動機器の相対位置情報が表示される簡易情報表示に戻ることができる。
【０１０６】
以上のように、相対位置表示領域１１５にチャットに参加している他の移動機器の自機に対する相対位置関係を表示することにより、他の移動機器の相対位置を把握することができ、メッセージ理解の補助及び運転情報の補助とすることができる。
【０１０７】
［縦長表示と横長表示］
以上、表示部１１における各種表示領域について、縦長の表示画面を例示して説明したが、縦長表示に限定されない。縦長に換えて横長にしてもよい。また、例えば、加速度センサーにより、電子機器を傾けることで自動的に縦・横の表示を切替える縦横自動変換を行うようにしてもよい。
【０１０８】
［タッチパネル］
表示部１１の表面には、タッチパネルが積層されており、ユーザーの操作を受け付けることができる。本実施形態においてタッチパネルが受け付ける操作には、表示部１１の任意の位置を選択する選択操作（いわゆるタップ）や表示部１１の任意の位置を選択した後に指を移動させるスライド操作（いわゆるスワイプ、フリック）が含まれる。また、タッチパネルは、複数の接触点を同時に感知可能なマルチタッチパネルにより構成される。タッチパネルを介して受け付けた操作は、制御部４０に送信され処理される。
【０１０９】
スピーカ１２は、ユーザーに対して音声出力を行い、マイク１３は、ユーザーによって発せられた音声等を集音する。
【０１１０】
操作部１４は、操作ボタンやタッチパネル式入力装置等により構成することができ、ユーザーによる各種の選択、指示が入力される。なお、表示部１１の表示画面上に設けられたタッチパネルも操作部１４として機能する。
また、音声認識技術により、マイク１３を介して音声入力されたユーザーによる各種の選択、指示を入力することもできる。
【０１１１】
＜記憶部３２＞
記憶部３２は、ＲＯＭやＲＡＭ等を備えて構成され、電子機器２を制御するための制御プログラム等が格納されるとともに、操作部１４を介してユーザーにより設定されたデータを読み出し可能に格納し、制御部４０に対してワークエリアを提供する。
【０１１２】
図２に示すように、記憶部３２は、ユーザープロファイル（ユーザー情報リスト）３２１と、定型（かつ定形）文メッセージリスト３２２と、接続テーブル３２３と、送信情報履歴部３２４と、受信情報履歴部３２５とを記憶する。
【０１１３】
ユーザープロファイル（ユーザー情報リスト）３２１は、ユーザー情報（ユーザーの識別情報及びユーザーの属性情報）等から構成される複数のレコードを記憶する。
なお、ユーザープロファイル（ユーザー情報リスト）３２１は、予め設定ボタン１１４２を押下することで表示される設定画面を用いて設定登録することができる。
【０１１４】
定型（かつ定形）文メッセージリスト３２２は、定型（かつ定形）文メッセージの識別ＩＤ、定型（かつ定形）文メッセージ、当該定型（かつ定形）文メッセージに対応付けられたメッセージアイコンの識別ＩＤ、及びメッセージアイコン等からなる複数のレコードを記憶する。
定型（かつ定形）文メッセージリスト３２２は、予めインストールされていてもよい。また、所定のサーバ又はクラウド等から適宜ダウンロードしてもよい。そうすることで、定型（かつ定形）文メッセージ及び定型（かつ定形）文メッセージに対応するメッセージアイコンは、すべての電子機器２に共通に記憶される。
【０１１５】
接続テーブル３２３は、後述する接続処理部４２が生成更新する、自機及び自機と通信可能な他の移動機器の通信アドレス情報（例えば、ＩＰアドレス、ＭＡＣアドレス等）、送受信された当該移動機器（ユーザー）に対応するユーザー情報（ユーザーの識別情報及び／又はユーザーの属性情報）、時間情報、及び位置情報等から構成される複数のレコードを記憶する。
【０１１６】
送信情報履歴部３２４は、自車両１の送信したコミュニケーション情報の履歴を記憶する。
受信情報履歴部３２５は、他の移動機器等から受信したコミュニケーション情報の履歴を記憶する。
そうすることで、ユーザーは、受信済みのコミュニケーション情報を受信した日時順、送信元順等により照会できる。また、ユーザーは、コミュニケーション情報に含まれるデータをテキスト検索することができる。
送信済みのコミュニケーション情報についても、同様に、送信した日時順、送信先順等による照会、及びコミュニケーション情報に含まれるデータのテキスト検索が可能である。
そうすることで、仲間内同士のコミュニケーション情報のやり取りの検索照会が可能となる。
【０１１７】
記憶部３２内に地図情報データベースを設けて、２次元地図情報、３次元地図情報、道路形状データ、施設データ、店舗データ等の地図情報を格納することができる。また、所定のサーバ又はクラウド等から適宜ダウンロードしてもよい。
【０１１８】
＜制御部＞
制御部４０は、ＣＰＵ（Ｃｅｎｔｒａｌ Ｐｒｏｃｅｓｓｉｎｇ Ｕｎｉｔ）等を備えており、電子機器２の全体の制御を行う。図１に示すように、制御部４０は、相対位置算出部４１と、接続処理部４２と、表示制御部４３と、情報設定部４４と、メッセージ処理部４５と、を備える。また、表示制御部４３は、第１表示モード制御部４３１を備える。
【０１１９】
＜相対位置算出部＞
相対位置算出部４１は、情報受信部２１を介して他の移動機器から接続要求、接続確認応答、又はコミュニケーション情報等を受信した場合、接続要求、接続確認応答、又はコミュニケーション情報等に含まれるＧＰＳ情報と、現在走行中の道路の地図情報とに基づいて、他の移動機器の現在位置を算出する。また、相対位置算出部４１は、他の移動機器と自機との距離、他の移動機器の自機との相対的な位置方向（例えば、同一車線前方、同一車線後方、反対車線前方、反対車線後方、前方の右方向、前方の左方向、後方の右方向、後方の左方向等）等を算出する。
【０１２０】
＜接続処理部＞
接続処理部４２は、自機と通信可能な他の移動機器等の通信アドレス情報（例えば、ＩＰアドレス、ＭＡＣアドレス等）、当該移動機器（ユーザー）に対応するユーザー情報（ユーザーの識別情報及び／又はユーザーの属性情報）、時間情報、及び位置情報等を接続テーブル３２３に記憶する。
【０１２１】
より具体的には、ユーザーが他のユーザーとのチャットに参加する場合に、接続処理部４２は、ユーザーの指示により、自機を識別するための通信アドレス情報（例えば、ＩＰアドレス、ＭＡＣアドレス等）、自機（ユーザー）に対応するユーザー情報（ユーザーの識別情報及び／又はユーザーの属性情報）、時間情報、及び位置情報等を含む接続要求を情報送信部２２を介して送信する。そして、当該接続要求に応答した他の移動機器等からの接続確認に基づいて、他の移動機器等の通信アドレス情報、当該移動機器等に対応するユーザー情報（ユーザーの識別情報及び／又はユーザーの属性情報）、時間情報、及び位置情報等を含むレコードを接続テーブル３２３に作成する。
【０１２２】
接続処理部４２は、他の移動機器等からの接続要求、メッセージ、受信応答等を受信すると、他の移動機器等の通信アドレス情報、当該移動機器に対応するユーザー情報（ユーザーの識別情報及び／又はユーザーの属性情報）、時間情報、及び位置情報等を含むレコードを接続テーブル３２３に記憶する。
そして、接続処理部４２は、接続要求等を受信した他の移動機器等に対して、自機のアドレス情報、自機に対応するユーザー情報（ユーザーの識別情報及び／又はユーザーの属性情報）、時間情報、及び位置情報等を含む、接続確認応答等を情報送信部２２を介して送信する。
【０１２３】
接続処理部４２は、他の移動機器等との接続確認等に基づいて、適宜、接続テーブル３２３に作成された、他の移動機器等との接続情報を更新する。そうすることで、現在通信可能な他の移動機器等に関する接続情報（通信アドレス情報、当該移動機器に対応するユーザー情報（ユーザーの識別情報及び／又はユーザーの属性情報）、時間情報、及び位置情報等）を最新の状態に保つことができる。
【０１２４】
＜表示制御部＞
表示制御部４３は、第１表示モード制御部４３１を備える。
第１表示制御部４３１は、予め設定された配置パターン種別（Ａ〜Ｃ）に基づいて、設定された配置パターンによる表示制御を行うことができる。
このために、第１表示制御部４３１は、配置パターンごとに表示制御するための配置パターン制御部Ａ〜配置パターン制御部Ｃを備えるようにしてもよい。そうすることで、予め設定された配置パターンに対応する配置パターン制御部により表示制御することができる。
［全画面表示］
第１表示モード制御部４３１は、接続処理部４２により作成された接続テーブル３２３に記憶された他の移動機器等との接続情報に基づいて、例えば、図４Ａ〜図４Ｃに示すように、表示部１１上の当該他の移動機器を使用しているユーザー（以下、「移動機器ユーザー」ともいう）の属性情報（ユニット情報）が表示されたユニット表示領域１１２Ａに関連付けたメンバー表示領域１１２Ｂに、当該他の移動機器ユーザーに対応するメンバーアイコンを表示する。
その際、図４Ａ〜図４Ｃに示すように、自機に対応するユニットアイコン／メンバーアイコンと他の移動機器等に対応するユニットアイコン／メンバーアイコンとを区別するために、第１表示モード制御部４３１は、例えば、自機を使用しているユーザー（以下、「自機ユーザー」ともいう）の属性情報（ユニット情報）が表示されるユニット表示領域１１２Ａ及び当該ユニット表示領域１１２Ａに関連付けた自機ユーザーの識別情報（メンバー情報）を表示するメンバー表示領域１１２Ｂを、それぞれ表示部１１の例えば下端（図４Ａ、図４Ｂの場合）又は表示部１１の上端（図４Ｃの場合）に配置するようにしてもよい。
【０１２５】
第１表示モード制御部４３１は、前述したとおり、チャットに参加している（すなわち、現在通信可能な状態にある）各移動機器ユーザーの識別情報（メンバーアイコン）を当該移動機器ユーザーの属性情報（ユニットアイコン）が表示されるユニット表示領域１１２Ａに関連付けたメンバー表示領域１１２Ｂ上に配置して表示する。
【０１２６】
「新たなチャット参加者の表示］
第１表示モード制御部４３１は、接続処理部４２により、無線通信部２０を介して、新たな移動機器との通信接続が確立されたことに応答して、当該移動機器ユーザーのユーザーアイコンを動的に再配置して表示する。
より具体的には、例えば、当該移動機器ユーザーの属性情報（ユニットアイコン）が表示されているユニット表示領域１１２Ａに関連付けたメンバー表示領域１１２Ｂ上に配置して表示する。
また、当該移動機器ユーザーの属性情報（ユニットアイコン）がユニット表示領域１１２Ａに表示されていない場合、新たな移動機器ユーザーの属性情報（ユニットアイコン）を表示するために、全てのユニット表示領域１１２Ａを動的に再配置して、新たなユニット表示領域１１２Ａを作成し、新たな移動機器ユーザーの属性情報（ユニットアイコン）を表示する。
そして、当該新たな移動機器ユーザーの属性情報（ユニットアイコン）が表示されているユニット表示領域１１２Ａに関連付けたメンバー表示領域１１２Ｂを含むすべてのメンバー表示領域１１２Ｂを動的に再配置して、新たなメンバー表示領域１１２Ａを作成し、新たな移動機器の識別情報（メンバーアイコン）を表示する。
【０１２７】
なお、前述したように、配置パターンＡ及び配置パターンＣで、かつユニット情報の最大個数が予め設定されている場合、表示部１１の左側の一辺の方向に、ユニット情報の最大個数分のユニット情報表示位置を用意することができる。また、各ユニット情報と関連付けられるメンバー情報の最大個数が予め設定されている場合、各ユニット情報に関連付けられるメンバー情報を表示するメンバー表示領域１１２Ｂは、各ユニット情報と関連付けられるメンバー情報の最大個数分、用意することができる。
こうすることで、第１表示モード制御部４３１は、無線通信部２０を介して、新たな移動機器との通信接続が確立された場合、以下のように対応することができる。
例えば、当該移動機器ユーザーの属性情報（ユニットアイコン）がユニット表示領域１１２Ａに表示されていない場合、新たな移動機器ユーザーの属性情報（ユニットアイコン）を表示するために、空いているユニットアイコン配置場所に接続順に、新たな移動機器ユーザーの属性情報（ユニットアイコン）を追加配置するようにしてもよい。
同様に当該新たな移動機器ユーザーの識別情報（メンバーアイコン）を表示するために、空いているメンバーアイコン配置場所に接続順に、新たな移動機器ユーザーの識別情報（メンバーアイコン）を追加配置するようにしてもよい。
【０１２８】
［相対位置の表示］
新たな移動機器との通信接続が確立されたことに応答して、第１表示モード制御部４３１は、相対位置算出部４１により算出した新たな移動機器の自機に対する相対位置情報を算出し、相対位置表示領域１１５に、通信接続された新たな移動機器の相対位置情報を表示する。
【０１２９】
なお、後述する情報設定部４４により、他の移動機器からの受信の可否、他の移動機器からのメッセージ表示の可否を予め設定できる、フィルタリング機能を設けるようにしてもよい。このフィルタリング機能については、メンバー単位又はユニット単位で行えるようにしてもよい。
上記の例では、例えば、仮に新たな移動機器ユーザーが受信否、又はメッセージ表示否の設定があれば、新たな移動機器ユーザーは、ユーザー表示領域１１２、また相対位置表示領域１１５には表示されないことになる。
フィルタリング機能を設けることで、仲間内に限定したクローズドなメッセージ交換ができる。
【０１３０】
「チャット参加者の退場］
第１表示モード制御部４３１は、接続処理部４２により、無線通信部２０を介して、チャットに参加している移動機器との通信接続が切断されたことに応答して、例えば、メンバー表示領域１１２Ｂ上の当該移動機器に対応するメンバーアイコンを除く、チャットに参加している残り全ての移動機器に対応するメンバーアイコンを、メンバー表示領域１１２Ｂ上に動的に再配置する。
なお、再配置の変形例として、例えば、メンバー表示領域１１２Ｂに既に表示されている移動機器ユーザーに対応するメンバーアイコンは、そのままとして、当該移動機器ユーザーに対応するメンバーアイコンのみをメンバー表示領域１１２Ｂ上に非表示とするようにしてもよい。
【０１３１】
また、別変形例として、第１表示モード制御部４３１は、ユニット情報に関連付けたメンバー表示領域１１２Ｂを、予め所定個数のメンバーアイコンを配置できるように分割して、メンバーアイコン配置場所を用意しておいた場合、第１表示モード制御部４３１は、無線通信部２０を介して、当該移動機器との通信接続が切断されたことに応答してユニット情報に関連付けたメンバー表示領域１１２Ｂ上の当該移動機器のメンバーアイコンをその配置場所から消去してもよい。また、残り全ての移動機器に対応するメンバーアイコンを接続順に再配置するようにしてもよい。
【０１３２】
［メッセージアイコンとメンバーアイコンとの関連付け］
第１表示モード制御部４３１は、例えば図４Ａ〜図４Ｃに示すように、チャットに参加している他の移動機器から情報受信部２１を介して受信したメッセージに対応するメッセージアイコンを、メンバー表示領域１１２Ｂに表示された、当該移動機器に対応するメンバーアイコンのそれぞれに関連付けて、例えば、吹き出しにより、メッセージ表示領域１１１に表示する。
【０１３３】
［メッセージ受信］
第１表示モード制御部４３１は、接続処理部４２により抽出したデータ、定型（かつ定形）文メッセージリスト３２２等に基づいて、表示部１１のメッセージ表示領域１１１上に例えば図４Ａ〜図４Ｃに示すように、他の移動機器（Ｌ）から受信したメッセージに対応するメッセージアイコンを、メンバー表示領域１１２Ｂに表示された、メンバーアイコンに関連付けて表示する。
【０１３４】
第１表示モード制御部４３１は、図４Ｅに示すように、メッセージが到着したことを強調するために、受信直後に、所定時間、対応するメッセージアイコンを大きく表示することで、新たなメッセージを受信したことを強調することができる。
【０１３５】
同様に、図４Ｆに示すように、第１表示モード制御部４３１は、テキストメッセージを受信した場合、対応するメッセージアイコンを大きく表示して、テキストの表示又はテキストの読み上げをすることができる。テキストの表示又はテキストの読み上げの終了後、当該メッセージアイコンを通常のサイズに戻す。
同様に、第１表示モード制御部４３１は、ボイスメッセージを受信した場合、対応するメッセージアイコンを大きく表示して、音声を再生することができる。音声再生が終了すると、当該メッセージアイコンを通常のサイズに戻す。
同様に、第１表示モード制御部４３１は、画像メッセージを受信した場合、画像表示することができる。なお、所定時間経過後は、当該メッセージアイコンを通常のサイズに戻す。
【０１３６】
なお、ユーザーにより、テキストメッセージ、ボイスメッセージ、及び画像メッセージがそれぞれタップされた場合も、それぞれテキストメッセージ、ボイスメッセージ、及び画像メッセージを大きく表示して、それぞれテキストの表示又はテキストの読み上げ、音声の再生、及び画像表示を行い、処理終了後通常のサイズに戻すことができる。
【０１３７】
［相対位置の表示］
前述したとおり、他の移動機器からメッセージを受信した場合、第１表示モード制御部４３１は、相対位置算出部４１により算出した他の移動機器の自機に対する相対位置情報を算出し、相対位置表示領域１１５に、受信したメッセージの送信元となる他の移動機器の相対位置情報を表示する。
【０１３８】
後述する情報設定部４４により、他の移動機器ユーザーからの受信の可否、他の移動機器ユーザーからのメッセージ表示の可否が設けられている場合、例えば、ある移動機器（ユーザー）が受信可でなく、又はメッセージ表示可でもない場合、当該移動機器からのメッセージは受信せず、又はメッセージを第２表示領域１１２に表示しない。
【０１３９】
こうすることで、文字データによるチャット形式の会話をする際に、発話しない人も話の輪の中に存在している雰囲気を作り、みんなで会話を楽しんでいるという雰囲気を醸し出し、楽しくメッセージの交換を行うことができる。また、グループで一定の行動を共にする場合、グループの連帯感、グループ感、共同体としての一体感が楽しめる雰囲気を作り出すことができる。
また、メッセージに併せて、送信者の相対位置情報が把握できるため、受信者にとって送信者との関係や送信者の状況を想像することが容易になり、メッセージの理解の一助とすることができる。
また、メッセージに併せて、送信者の相対位置情報が把握できるため、受信者にとって送信者との関係や送信者の状況を想像することが容易になり、メッセージの理解の一助とすることができる。
【０１４０】
［上書き表示］
第１表示モード制御部４３１は、ユーザーアイコンに関連付けて受信したメッセージに対応するメッセージアイコンを第１表示領域１１１に表示する際に、以前に受信したメッセージに対応するメッセージアイコンが表示されている場合、受信したメッセージに対応するメッセージアイコンを、以前に受信したメッセージに対応するメッセージアイコンに上書きすることができる。
【０１４１】
また、メッセージアイコンの表示において、第１表示モード制御部４３１は、発信者に関する属性、情報種別、情報の緊急度、又は情報の重要度等に基づいて、強調表示することができる。
【０１４２】
＜情報設定部＞
情報設定部４４は、ユーザーの指定により、例えば、予め作成されているテンプレートを利用することにより、又は、ユーザーが直接作成することにより、当該電子機器を使用している送信者を識別する識別情報（「メンバー情報」）、又は当該送信者の所属する属性情報（「ユニット情報」）、自車の車種情報、挨拶メッセージ等を時間、場所、状況等に応じて適宜設定登録することができる。また、ユーザーは送信者（ユーザー）の識別情報をキャラクターとして表現したメンバーアイコン、及び／又は当該送信者（ユーザー）の属性情報をキャラクターとして表現したユニットアイコンを設定登録することができる。
例えば、メンバーアイコンに人の顔を設定登録した場合、表示部１１には、メンバーアイコンとして登録された人の顔が表示される。また、ユニットアイコンとして、車の絵柄を登録した場合には、表示部１１には、ユニットアイコンとして登録された車が表示される。
【０１４３】
情報設定部４４は、ユーザーの指定により、表示部１１に、前述した３つの配置パターンＡ〜配置パターンＣの内、どの配置パターンで表示するかを指定する配置パターン種別（Ａ〜Ｃ）を予め設定することができる。
【０１４４】
情報設定部４４は、ユーザーの指定により、送信側において、送信者のユーザーアイコンとしてメンバーアイコン又はユニットアイコンの何れかのみを送信するか、両方のアイコンとも送信するか、予め設定することができる。
【０１４５】
情報設定部４４は、ユーザーの指定により、表示部１１に表示するユニット情報（ユニットアイコン）の最大値及び各ユニット情報を属性情報とする各メンバーアイコンの最大値を予め設定することができる。
そうすることで、例えば、第１表示モード制御部４３１は、予め表示領域を最大値で分割して割り振ることができる。そして、第１表示モード制御部４３１は、新たな移動機器との通信接続が確立されたことに応答して、ユーザーアイコンを、空いているユーザーアイコン配置場所に動的に再配置することができる。
【０１４６】
情報設定部４４は、ユーザーの指定により、他の移動機器からの受信の可否、他の移動機器からのメッセージ表示の可否を予め設定する、フィルタリング機能を設けることができる。フィルタリング機能については、メンバー単位又はユニット単位で行えるようにしてもよい。
フィルタリング機能を設けることで、仲間内に限定したクローズドなメッセージ交換ができる。
【０１４７】
［相対位置表示に関する車線設定］
情報設定部４４は、ユーザーの指定により、相対位置表示領域１１５に、１車線表示又は２車線表示するように設定することができる。
【０１４８】
なお、情報設定部４４により予め設定された設定情報は、第１表示モード制御部４３１の稼働中に、ユーザーの指示により、変更することができる。そうすることで、柔軟に表示方法を変更することができる。
【０１４９】
＜メッセージ処理部＞
メッセージ処理部４５は、チャットに参加している他の移動機器に対してユーザーの指示によりコミュニケーション情報を送信する場合、ＧＰＳ処理部３１を介して自車両１の現在位置を取得し、また、現在時間を計時部（図示せず）から取得し、接続テーブル３２３に基づいて、コミュニケーション情報を生成し、情報発信部２２を介して他の情報発信源に対してコミュニケーション情報を送信する。
【０１５０】
［メッセージの送信］
メッセージ処理部４５は、例えばユーザーのタップ操作により、前述した第３表示領域１１３に表示された複数のメッセージアイコンの一覧から１つのメッセージアイコンが選択されたことに応答して、接続テーブル３２３に基づいて、表示部１１のユーザー表示領域１１２に表示されたユーザーアイコンに対応する移動機器に、選択されたメッセージアイコンに対応する定型（かつ定形）文メッセージを、無線通信部２０を介して送信する。
【０１５１】
また、メッセージ処理部４５は、ユーザーにより左ボタンウィジェット１１４上のテキストボタン１１４５が押下又はタップされることに応答して、テキストを編集し、テキストメッセージを作成し、無線通信部２０を介して、ユーザー表示領域１１２に表示されたユーザーアイコンに対応する移動機器に送信することができる。
メッセージ処理部４５は、ユーザーにより左ボタンウィジェット１１４Ｂ上のボイスメールボタン１１４３が押下又はタップされることに応答して、ボイスメールを作成し、無線通信部２０を介して、ユーザー表示領域１１２に表示されたユーザーアイコンに対応する移動機器に送信することができる。
メッセージ処理部４５は、ユーザーにより左ボタンウィジェット１１４Ｂ上のカメラ画像ボタン１１４４が押下又はタップされることに応答して、ユーザーの画像撮影に基づいて、画像メッセージを作成し、無線通信部２０を介して、ユーザー表示領域１１２に表示されたユーザーアイコンに対応する移動機器に送信することができる。
【０１５２】
［宛先の設定］
メッセージ処理部４５は、ユーザーのタップ操作により、送信先を設定する。例えば、配置パターンＡの場合、図４Ｇに示すように、ユーザーのタップ操作により、表示部１１の中央がタップされた場合、送信先はグループ全体に設定される。また、ユーザーのタップ操作により、ユーザー表示領域に配置されたユーザーアイコンの中から、特定のユーザーアイコンがタップされた場合、送信先は当該特定のユーザーアイコンに対応する移動機器に設定される。
なお、デフォルト設定として、例えばユーザーのタップ操作により、前述した第３表示領域１１３に表示された複数のメッセージアイコンの一覧から１つのメッセージアイコンが選択された場合、グループ全体に送信するようにしてもよい。
【０１５３】
［メッセージの設定と送信］
メッセージ処理部４５は、例えばユーザーのタップ操作により、前述した第３表示領域１１３に表示された複数のメッセージアイコンの一覧から１つのメッセージアイコンが選択された場合、接続テーブル３２３に基づいて送信先アドレスを設定し、送信元アドレスに自機の通信アドレスを設定し、送信データ部に自機ユーザーのユーザー情報、選択された定型（かつ定形）文メッセージに対応するメッセージアイコンの識別ＩＤ、時間情報、及び自機のＧＰＳ情報等を設定した通信レコードを作成して、情報送信部２２を介して、表示部１１のユーザー表示領域に表示されたユーザーアイコンに対応する移動機器に送信する。
図４Ｇに示すように、メッセージアイコンを選択した場合、メッセージアイコンが宛先（すなわち、宛先がグループ全体の場合は表示部１１の中央に、宛先が特定の移動機器の場合は、対応するユーザーアイコンに移動するようなアニメーションを実行することで、メッセージの送信を感覚的に把握できるようにしてもよい。そして、第１表示モード制御部４３１は、自機の送信した上記定型（かつ定形）文メッセージに対応するメッセージアイコンを、ユーザー表示領域に表示された自機に対応するユーザーアイコンに関連付けて、例えば吹き出しにより表示することができる。なお、メッセージ送信直後は、送信したことを強調するために、送信したメッセージを大きく表示し、所定時間経過後に、当該送信メッセージを通常のサイズに戻すことができる。
メッセージ処理部４５は、送信情報履歴部３２４に当該送信情報をログ情報として格納することができる。
図４Ｇに示すように、メッセージ送信後、第１表示モード制御部４３１は、送信先の移動機器から受信応答を受信するまで例えば送信先のユーザーアイコンに送信中の状態がわかるような、例えば閉じた封筒のアイコン（以下「送信アイコン」という）を表示することができる。メッセージ処理部４５が受信応答を受信した場合、第１表示モード制御部４３１は、対応する移動機器から当該送信アイコンを非表示にする。そうすることで、自機は送信したメッセージを送信先が受信したかどうかを直感的に把握することができる。
第１表示モード制御部４３１は、所定時間経過に、当該メッセージアイコンを通常のサイズに戻す。
【０１５４】
図４Ｈに示すように、メッセージ処理部４５は、ユーザーにより、例えば前述した左ボタンウィジェット１１４Ｂ上のボイスメールボタン１１４３が押下又はタップされた場合、ユーザーに音声を入力させ、接続テーブル３２３に基づいて送信先アドレスを設定し、送信元アドレスに自機の通信アドレスを設定し、送信データ部に自機ユーザーのユーザー情報（ユーザーの識別情報及び／又はユーザーの属性情報）、ボイスメール、時間情報、及び自機のＧＰＳ情報等を設定した通信レコードを作成して、情報送信部２２を介して、表示部１１のユーザー表示領域に表示されたユーザーアイコンに対応する移動機器に送信する。
その際、メッセージ処理部４５は、送信情報履歴部３２４に当該送信情報をログ情報として格納することができる。
【０１５５】
また、メッセージ処理部４５は、ユーザーにより左ボタンウィジェット１１４Ｂ上のカメラ画像ボタン１１４４が押下された場合も、ボイスメールボタン１１４３が押下されて以降の処理と同様の処理を行うことができる。
【０１５６】
［電子機器２のシステム構成］
次に電子機器２の構成の一例について説明する。
電子機器２は、車載ナビゲーション装置、ＰＮＤ（Ｐｅｒｓｏｎａｌ  Ｎａｖｉｇａｔｉｏｎ  Ｄｅｖｉｃｅ）等を含むナビゲーション装置、スマートフォン等の携帯型端末装置、タブレット端末、ＰＤＡ、ノートパソコン、携帯電話、その他無線通信機能を備える携帯可能な電子機器を含む。特に、画面サイズが、１０インチ以内、特に７インチ以下の小画面ディスプレイを備える電子機器に好適である。ただし、画面サイズが１０インチ以上のディスプレイを備える電子機器にも適用できる。
なお、車両等が、自転車、歩行者の場合、電子機器２は携帯端末等（スマートフォン等）を含んで構成される。
【０１５７】
これら電子機器２の機能部、例えば無線通信部２０、ＧＰＳ処理部３１、制御部４０、相対位置算出部４１、接続処理部４２、表示制御部４３、第１表示モード制御部４３１、情報設定部４４、及びメッセージ処理部４５等の実施形態は、プログラム可能なプロセッサ、又はプログラム可能なコンピュータによる実行のための、コンピュータプログラムとして実装することができる。
また、特殊目的論理回路、例えば、ＦＰＧＡ又はＡＳＩＣ、ファームウェア、デジタル電子回路の形でも実装することができる。
【０１５８】
また、電子機器２の機能を実現するためのプログラムをコンピュータで読み取り可能な記録媒体に記録して、この記録媒体に記録されたプログラムをコンピュータに読み込ませ、実行することによって実現してもよい。
【０１５９】
ここでいう「コンピュータ」とは、ＯＳ及び周辺機器等のハードウェアを含む。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置等を含む。
【０１６０】
また、本発明の１つの実施形態の方法ステップは、本発明の１つの実施形態の機能を実施するための電子機器２を実行することにより実施することができる。
また、本発明の１つの実施形態の方法ステップは、本発明の１つの実施形態の機能を実施するためのコンピュータプログラムを実行する１つ又は複数のプログラム可能なプロセッサ又はコンピュータによって実施することができる。
また、特殊目的論理回路、例えば、ＦＰＧＡ又はＡＳＩＣ、ファームウェア、デジタル電子回路によって方法ステップを実施することもできる。
【０１６１】
以上のように、本発明のコミュニケーション情報を用いることで、チャット形式の会話をする際に、発話しない人も話の輪の中に存在している雰囲気を作り、みんなで会話を楽しんでいるという雰囲気を醸し出し、楽しくメッセージの交換を行うことができる。また、グループで一定の行動を共にする場合、グループの連帯感、グループ感、共同体としての一体感が楽しめる雰囲気を作り出すことができる。
【０１６２】
［第１実施形態に係る効果］
以上説明した、上記実施形態のメッセージ交換を行うためのプログラム、方法、及び電子機器２によれば、以下のような効果を奏する。
【０１６３】
上記実施形態の定型（かつ定形）文メッセージ交換を行うためのプログラム、方法、及び電子機器２により、電子機器２の表示部１１に、ユニット表示領域１１２Ａ及びメンバー表示領域１１２Ｂに関連付けたメンバー表示領域１１２Ｂを設けて、ユニット情報及びユーザー情報をそれぞれユニット表示領域１１２Ａ及びメンバー表示領域１１２Ｂに関連付けたメンバー表示領域１１２Ｂに配置して表示する。
これにより、送信者（発話者）がユニット情報に基づいて整理されて表示されるので、「送信者（発話者）が誰であるか」の情報に加えて、「送信者（発話者）がどのユニットに属するか」という情報（例えば、どの車両に搭乗しているか、どの家族に属しているか、どの目的地に行くユニットに属しているか）を直感的に把握することができる。そうすることで、送信者（発話者）の状況を想像しやすく、受信したメッセージ情報の理解の一助とすることができる。
また、限られた面積の表示部１１で有効に情報を表現できる。さらに、ユニット情報に基づいて配置位置を割り振るので、画面が整理され、情報を直感的に把握しやすい。また、楽しい雰囲気を演出できる。
【０１６４】
さらに、無線通信部２０を介して、新たな移動機器との通信接続が確立されたことに応答して、新たなメンバーに対応するメンバーアイコンをそれまでのチャットメンバーのメンバーアイコンの輪の中に動的に挿入する。
これにより、通信接続数が増えるたびに位置が変わるため、画面の変化が大きく、接続が増えたことが直感的に容易にわかる。そうすることで、新たなメンバーがチャットに参加する場合においても、新たなメンバーも自然に、話の輪の中に加わる雰囲気を作り、みんなで会話を楽しんでいるという雰囲気を醸し出し、楽しくメッセージの交換を行うことができる。
【０１６５】
［第２実施形態］
続いて、本発明の第２実施形態について、図面を参照しながら説明する。本発明の第１実施形態では、表示制御部４３は、第１表示モード制御部４３１による表示制御（「第１表示」又は「全画面表示」ともいう）を行ったが、第２実施形態では、表示制御部４３は、第１表示モード制御部４３１による表示制御（全画面表示）に加えて、第２表示モード制御部４３２による、地図上に自機位置を表示する（「第２表示」又は「地図表示」ともいう）表示制御を行うことができる。さらに、ユーザーの指示にしたがって、第１表示（全画面表示）と第２表示（地図表示）とを切替えることができる。
第１表示モード制御部４３１による表示制御に係る構成は、第１実施形態と同じであることから、説明を省略する。ここでは、第２表示及び表示切替えについて説明する。なお、第１実施形態におけると同様の構成については同一の符号を付し、説明を省略する。
【０１６６】
図６に示すように、第２実施形態の制御部４０は、相対位置算出部４１と、接続処理部４２と、表示制御部４３と、情報設定部４４と、メッセージ処理部４５と、を備える。表示制御部４３は、第１表示モード制御部４３１と、第２表示モード制御部４３２と、表示モード切替部４３１と、を含んで構成される。
【０１６７】
［第２表示］
第２表示モード制御部４３２による地図表示について説明する。なお、第１表示（全画面表示）における表示と同様の構成については、同一の符号を付し、説明を省略する。
【０１６８】
図７Ａ〜７Ｉに、第２表示モード制御部４３２による第２表示画面（地図上に自機位置表示を優先する地図表示画面）を示す。
以下に例示する図７Ｂにおいては、ユーザーアイコンとしてメンバーアイコンを表示しているが、メンバーアイコンだけに限定されない。
図７Ｃに、ユーザーアイコンとしてユニットアイコンを表示する場合の例を示す。
このように、ユニットグループに属するユーザーについては、ユーザーアイコンとして個々のメンバーアイコンではなく、ユニットアイコンを表示することができる。
全画面表示の場合と同様に、ユーザーの指定により、地図表示画面において、送信者のユーザーアイコンとしてメンバーアイコン、又はユニットアイコンの何れを表示するか、情報設定部４４により、受信側で予め設定することができる。
また、第２ボタンウィジェット１１４Ｂのスワイプ動作によりスライドイン／スライドアウトする際に、スライドイン／スライドアウトを連続して繰り返す回数により、選択設定されるようにすることもできる。例えば、１回の操作でメンバーアイコン表示とし、２回連続して繰り返すことで、ユニットアイコン表示とするようにしてもよい。
【０１６９】
＜現在走行中の道路地図上への表示＞
図７Ａに示すように、第１実施形態と同様に、現在通信可能な移動機器は、キャラクターとして表現されるユーザーアイコンによって識別され、表示部１１に表示される現在走行中の道路地図上に、自機に対応するユーザーアイコン（Ｋ）とともに、現在通信可能な他の移動機器に対応するユーザーアイコン（Ｌ）等が表示される。自機に対応するユーザーアイコン（Ｋ）は、ＧＰＳ処理部３１により算出した自機の現在位置に基づいて、現在走行中の道路地図上に表示される。また、他の移動機器に対応するユーザーアイコン（Ｌ）等は、無線通信部２０の情報受信部２１を介して受信した他の移動機器の緯度経度を含むＧＰＳ情報に基づいて算出した他の移動機器の現在位置に基づいて、現在走行中の道路地図上に表示される。
ここで、自機に対応するユーザーアイコンは、例えばノースアップ表示の場合、表示部１１上に表示された道路地図上の略中心に位置するように表示することができる。また、ヘッドアップの場合には、表示部１１に表示された道路地図上の下側に表示することができる。
【０１７０】
また、図７Ａに示すように、表示部１１に表示される現在走行中の道路地図上に、他の移動機器（Ｌ）から受信したメッセージに対応するメッセージアイコン（例えば「コンビニ」）が他の移動機器（Ｌ）に対応するユーザーアイコン（Ｌ）に関連付けて、例えば当該ユーザーアイコン（Ｌ）の上に表示される。
また、表示部１１に表示される現在走行中の道路地図上に、自機の送信した最新メッセージに対応するメッセージアイコン（例えば「了解」）を、道路地図上に表示された自機に対応するユーザーアイコン（Ｋ）に関連付けて、例えば当該ユーザーアイコンの上に表示することができる。
【０１７１】
［第２ボタンウィジェット１１４Ｂ］
図７Ｂに示すように、第２表示モード制御部４３２は、第２表示において、表示部１１上の例えば左側に各種操作ボタンを備えるウィジェット（以下、「第２ボタンウィジェット１１４Ｂ」ともいう）を表示することができる。
図７Ｄに示すように、第２ボタンウィジェット１１４Ｂは、第１表示におけるボタンウィジェット１１４と同様に、例えば、２本の指によるスワイプ操作により、表示部１１にスライドイン／スライドアウトさせることができる。
第２ボタンウィジェット１１４Ｂは、例えば、画面切り替えボタン１１４１Ｂ、メッセージアイコン選択ボタン（「第１アイコン選択ボタン」ともいう）１１４２Ｂ、ボイスメールボタン１１４３、カメラ画像ボタン１１４４等を備えることができる。また、後述するように、第２ボタンウィジェット１１４Ｂの中央の表示領域（以下「ユーザーアイコン表示領域Ｂ」ともいう）に、現在通信可能な移動機器に対応するユーザーアイコンが表示される。
なお、ボイスメールボタン１１４３及びカメラ画像ボタン１１４４は、それぞれ第１表示におけるボタンウィジェット１１４のボイスメールボタン１１４３及びカメラ画像ボタン１１４４と同じであり、説明を省略する。
【０１７２】
［ユーザーアイコン表示領域Ｂ］
図７Ｂに示すように、現在通信可能な移動機器に対応するユーザーアイコンは、表示部１１上の第２ボタンウィジェット１１４Ｂのユーザーアイコン表示領域Ｂに表示される。
ユーザーアイコン表示領域Ｂに表示されるユーザーアイコンは、自機に対応するユーザーアイコンを含むようにしてもよい。
その場合、自機に対応するユーザーアイコンと他の移動機器に対応するユーザーアイコンとを区別するために、図示しないが、例えば、自機に対応するユーザーアイコン（Ｋ）を表示する領域を他の移動機器に対応するユーザーアイコン（Ｌ）、等を表示する領域の上になるようにしてもよい。また、自機（Ｋ）を含めて接続順に表示してもよい。
【０１７３】
［新たなチャット参加者の表示］
図７Ｆに示すように、第２表示において、第２表示モード制御部４３２は、接続処理部４２により、無線通信部２０を介して、新たな移動機器との通信接続が確立されたことに応答して、第２ボタンウィジェット１１４Ｂのユーザーアイコン表示領域Ｂ上に新たな移動機器に対応するユーザーアイコンを動的に追加配置する。同時に、現在走行中の道路地図上に、新たな移動機器に対応するユーザーアイコンを追加配置する。
【０１７４】
「チャット参加者の退場］
図７Ｇに示すように、第２表示において、第２表示モード制御部４３２は、接続処理部４２により、無線通信部２０を介して、チャットに参加している移動機器との通信接続が切断されたことに応答して、当該移動機器に対応するユーザーアイコンを除く、チャットに参加している残り全ての移動機器に対応するユーザーアイコンを、第２ボタンウィジェット１１４Ｂのユーザーアイコン表示領域Ｂ上に動的に再配置する。同時に、現在走行中の道路地図上に表示されていた当該移動機器に対応するユーザーアイコンを非表示にする。
なお、図７Ｇに記載の例では、ユーザーアイコン表示領域Ｂ上には、自機（Ｋ）を含めて接続順に表示している。
【０１７５】
そうすることで、ユーザーは、新たにチャットに参加したユーザー又はチャットから退場したユーザーを直感的に容易に把握することができる。
【０１７６】
［メッセージ受信］
第２表示において、第２表示モード制御部４３２は、図７Ｈに示すように、メッセージが到着したことを強調するために、受信直後に、所定時間、対応するメッセージアイコンを大きく表示することができる。その後、所定時間経過後に当該メッセージアイコンを通常のサイズに戻す。
【０１７７】
第２表示においても、第２表示モード制御部４３２は、テキストメッセージ（枠内表示）を受信した場合、第１表示モードの場合と同様に、対応するメッセージアイコン（枠内表示）を大きく表示して、テキストの表示又はテキストの読み上げをすることができる。テキストの表示又はテキストの読み上げの終了後、当該メッセージアイコン（枠内表示）を通常のサイズに戻す。
ボイスメッセージ又は画像メッセージを受信した場合についても、第２表示モード制御部４３２は、第１表示（全画面表示）の場合と同様に拡大表示される。
【０１７８】
［上書き表示］
第２表示において、第２表示モード制御部４３２は、表示部１１の現在走行中の道路地図上、及びユーザーアイコン表示領域Ｂに表示されたユーザーアイコン（例えばＬ）に関連付けて受信したメッセージに対応するメッセージアイコンを表示する際に、以前に受信したメッセージに対応するメッセージアイコンが表示されている場合、受信したメッセージに対応するメッセージアイコンを、以前に受信したメッセージに対応するメッセージアイコンに上書きすることができる。
【０１７９】
そうすることで、ユーザーは、他の移動機器から受信した定型（かつ定形）文メッセージを道路地図上に表示されたユーザーアイコンとメッセージアイコンの関連付けによる表示で、位置関係を直感的に容易に把握することができる。
【０１８０】
［メッセージ送信］
次に、図７Ｉを参照しながら、第２表示モードにおけるメッセージ送信処理について説明する。なお、第１表示モードにおけるメッセージ送信処理と同様の構成については、同一の符号を付し、説明を省略する。
【０１８１】
メッセージ処理部４５は、他の移動機器に対してユーザーの指示によりコミュニケーション情報を送信する場合、ＧＰＳ処理部３１を介して自車両１の現在位置を取得し、また、現在時間を計時部（図示せず）から取得し、コミュニケーション情報を生成し、情報発信部２２を介して他の情報発信源に対してコミュニケーション情報を送信する。
【０１８２】
［メッセージアイコン選択ボタン１１４２Ｂ］
第２ボタンウィジェット１１４Ｂに設けたメッセージアイコン選択ボタン１１４２Ｂが押下されることにより、所定の選択パネル表（以下「メッセージアイコン選択パネル表」ともいう）が表示部１１上に表示され、選択可能な定型（かつ定形）文メッセージに対応するメッセージアイコンの一覧が表示される。
【０１８３】
ユーザーは、定型（かつ定形）文メッセージを他の移動機器に送信する場合、メッセージアイコン選択パネル表に表示されたメッセージアイコンの一覧から、送信しようとする定型（かつ定形）文メッセージに対応するメッセージアイコンを例えばタップ等により選択することで、メッセージ処理部４５は、選択されたメッセージアイコンに対応する定型（かつ定形）文メッセージを無線通信部２０を介して、ユーザーアイコン表示領域Ｂに表示されたユーザーアイコンに対応する移動機器に、送信する。
なお、メッセージアイコン選択パネル表におけるメッセージアイコンの表示を２段に分けて表示することができる。その場合、２段の内、一方を、所定のメッセージアイコンを並べた固定フォーマットとして、他方を例えばフリップ等により切替え可能（スクロール可能）な可変フォーマットとすることができる。固定側の一段に使用頻度の高いメッセージ又は即答要求に応答可能なメッセージを割り振ることで、操作性を向上させることができる。
【０１８４】
メッセージ処理部４５は、送信情報履歴部３２４に当該送信情報をログ情報として格納する。
【０１８５】
第２表示モード制御部４３２は、第２ボタンウィジェット１１４Ｂのユーザーアイコン表示領域Ｂ上には、自機（Ｋ）を含めて最新の時系列順に並び替えることができる。
第２表示において、第２表示モード制御部４３２は、自機の送信した上記定型（かつ定形）文メッセージに対応するメッセージアイコンを、ユーザーアイコン表示領域Ｂに表示された自機に対応するユーザーアイコンに関連付けて、例えば隣に表示する。なお、送信直後は、送信したことを強調するために、送信したメッセージを大きく表示し、所定時間経過後に、当該送信メッセージを通常のサイズに戻すことができる。
【０１８６】
［上書き表示］
第２表示において、第２表示モード制御部４３２は、表示部１１の現在走行中の道路地図上、又はユーザーアイコン表示領域Ｂに表示されたユーザーアイコン（例えばＬ）に関連付けて受信したメッセージに対応するメッセージアイコンを表示する際に、以前に受信したメッセージに対応するメッセージアイコンが表示されている場合、受信したメッセージに対応するメッセージアイコンを、以前に受信したメッセージに対応するメッセージアイコンに上書きすることができる。
なお、自機の送信したメッセージに対応するメッセージアイコンについても同様に上書きすることができる。
【０１８７】
このように、現在走行中の道路地図情報を優先しながら、現在通信可能な自機を含む移動機器に対応するユーザーアイコン及び当該移動機器の発信した最新メッセージに対応するメッセージアイコンを直感的に容易に把握することができる。
【０１８８】
＜表示モード切替部＞
図７Ｅに示すように、表示部１１に第２表示モード制御部４３２による道路地図上に自機位置表示を優先する地図表示画面が表示されている状態で、第２ボタンウィジェット１１４Ｂをスライドインして、画面切り替えボタン１１４１Ｂをタップ(又はクリック）することで、第１表示モード制御部４３１による表示（全画面表示）に切り替えることができる。
同様に、図７Ｅに示すように、表示部１１に第１表示モード制御部４３１による全画面表示が表示されている状態で、前述したバックキーをタップ(又はクリック）することで、第２表示モードモード制御部４３２による表示（地図表示）に切替えることができる。
【０１８９】
以上のように、現在走行中の道路地図上における自機及び他機の位置を確認しながら、メッセージのやり取りができる地図表示画面と、全画面表示によるチャット表示とを、ユーザーにより切り換えて、時間、場所、場合等に応じて適した画面表示を楽しむことができる。そして、チャット情報の表示を優先する場合と、自機位置表示を優先する場合との、使い分けを提供することができ、ユーザーの利便性を向上させることができる。
また、自機位置を含む詳細な地図情報を得たい場合には、ユーザーによるタップ操作により画面を全画面表示から地図表示に切替えることができるため、情報を途切れずに見ることができる。
また、送受信する情報の詳細を得たい場合には、ユーザーによるタップ操作により画面を地図表示から全画面表示に切替えることができるため、メッセージ情報が表示部１１内の他の情報より大きく表示されるため、視認性を向上させることができる。さらに、メッセージに併せて、同時に相対位置情報がわかるため、受信者にとって送信者との関係、及び送信者の状況等を把握することができ、メッセージ理解の補助及び運転情報の補助とすることができる。
【０１９０】
［電子機器２のシステム構成］
第２実施形態における電子機器２のシステム構成は、第１実施形態における電子機器２のシステム構成と基本的に同じである。ここでは、第１実施形態における電子機器２のシステム構成と異なる部分について説明する。第１実施形態におけると同様の構成については同一の符号を付し、説明を省略する。
【０１９１】
電子機器２の機能部、例えば無線通信部２０、ＧＰＳ処理部３１、制御部４０、相対位置算出部４１、接続処理部４２、表示制御部４３、第１表示モード制御部４３１、第２表示モード制御部４３２、表示モード切替部４３３、情報設定部４４、及びメッセージ処理部４５等の実施形態は、例えば、プログラム可能なプロセッサ、又はプログラム可能なコンピュータによる実行のための、コンピュータプログラムとして実装することができる。
【０１９２】
また、本発明の１つの実施形態の方法ステップは、本発明の１つの実施形態の機能を実施するための電子機器２を実行することにより実施することができる。
また、本発明の１つの実施形態の方法ステップは、本発明の１つの実施形態の機能を実施するためのコンピュータプログラムを実行する１つ又は複数のプログラム可能なプロセッサ又はコンピュータによって実施することができる。
また、特殊目的論理回路、例えば、ＦＰＧＡ又はＡＳＩＣ、ファームウェア、デジタル電子回路によって方法ステップを実施することもできる。
【０１９３】
［第２実施形態に係る効果］
以上説明した第２実施形態によれば、以下のような効果を奏する。
【０１９４】
上記実施形態の定型（かつ定形）文メッセージ交換を行うためのプログラム、方法、及び電子機器２により、電子機器２の表示部１１に、全画面表示によるチャット表示形態と道路地図上に自機位置表示を優先する地図表示画面上のチャット表示形態とをユーザーにより切り換え可能とした。
これにより、現在走行中の道路地図上における自機及び他機の位置を確認しながら、メッセージのやり取りができる地図表示画面と、全画面表示によるチャット表示とを、ユーザーにより切り換えて、時間、場所、場合等に応じて適した画面表示を楽しむことができる。
そして、チャット情報の表示を優先する場合と、自機位置表示を優先する場合との、使い分けを提供することができ、ユーザーの利便性を向上させる。
【０１９５】
以上、本発明の好ましい実施形態につき説明したが、本発明は、上述の実施形態に制限されるものではなく、適宜変更が可能である。
【０１９６】
第１実施形態及び第２実施形態に係る表示部１１における表示例は、縦長画面を例としているが、縦長画面に限定されない。縦長に換えて横長にしてもよい。また、縦横自動変換にしてもよい。すなわち、電子機器２を傾けることで自動的に縦・横の表示を切り替えてもよい。
【０１９７】
第１実施形態及び第２実施形態におけるメッセージをアイコンに対応づけたが、アイコンに限定されない。短文メッセージを直接、表示部１１に表示してもよい。例えば吹き出しの中に記載されたメッセージ、いわゆる枠内文字表示であってもよい。
【０１９８】
第２実施形態に係る電子機器２の表示部１１は１画面であったが、変形例として、表示部１１は、少なくとも２画面を備えるものとしてもよい。
そうすることで、表示部１１の一方の画面に、表示制御部４３Ａにより第１表示モード（全画面表示）によるチャット表示画面を表示し、他方の画面に、第２表示モード制御部４３２により第２表示モード（道路地図表示）による道路地図上に自機位置表示を優先するナビゲーション画面上のチャット表示画面を表示するようにできる。
この場合、表示部１１における表示モードを切り替えることなく、現在走行中の道路地図上における自機及び他機の位置を確認できるナビゲーション画面上のチャット表示と、チャット形式の会話をする際に、発話しない人も話の輪の中に存在している雰囲気を作り、みんなで会話を楽しんでいるという雰囲気を醸し出し、楽しくメッセージの交換を行うことができる、全画面表示によるチャット表示とを、並列表示することができる。
【符号の説明】
【０１９９】
１    自車両
２    電子機器
１１  表示部
１２  スピーカ
１３  マイク
１４  操作部
１５  カメラ
２０  無線通信部
２１  情報受信部
２２  情報送信部
３１  ＧＰＳ処理部
３２  記憶部
３２１  ユーザープロファイル（ユーザー情報リスト）
３２２  定型（かつ定形）文メッセージリスト
３２３  接続テーブル
３２４  送信情報履歴部
３２５  受信情報履歴部
４０  制御部
４１  相対位置算出部
４２  接続処理部
４３  表示制御部
４３１  第１表示モード制御部
４３２  第２表示モード制御部
４３３  表示モード切替部
４４  情報設定部
４５  メッセージ処理部
【図１】
2016024557.tif 000003
【図２】
2016024557.tif 000004
【図３】
2016024557.tif 000005
【図４Ａ】
2016024557.tif 000006
【図４Ｂ】
2016024557.tif 000007
【図４Ｃ】
2016024557.tif 000008
【図４Ｄ】
2016024557.tif 000009
【図４Ｅ】
2016024557.tif 000010
【図４Ｆ】
2016024557.tif 000011
【図４Ｇ】
2016024557.tif 000012
【図４Ｈ】
2016024557.tif 000013
【図５Ａ】
2016024557.tif 000014
【図５Ｂ】
2016024557.tif 000015
【図５Ｃ】
2016024557.tif 000016
【図５Ｄ】
2016024557.tif 000017
【図５Ｅ】
2016024557.tif 000018
【図５Ｆ】
2016024557.tif 000019
【図５Ｇ】
2016024557.tif 000020
【図５Ｈ】
2016024557.tif 000021
【図５Ｉ】
2016024557.tif 000022
【図６】
2016024557.tif 000023
【図７Ａ】
2016024557.tif 000024
【図７Ｂ】
2016024557.tif 000025
【図７Ｃ】
2016024557.tif 000026
【図７Ｄ】
2016024557.tif 000027
【図７Ｅ】
2016024557.tif 000028
【図７Ｆ】
2016024557.tif 000029
【図７Ｇ】
2016024557.tif 000030
【図７Ｈ】
2016024557.tif 000031
【図７Ｉ】
2016024557.tif 000032